(57)【要約】  記録及び／または再生装置は、情報記録媒体のデータ記録可能領域に設けられた第１領域、及び前記データ記録可能領域に設けられて前記第１領域に使われる記録及び／または再生単位ブロックの大きさと異なる大きさの記録及び／または再生単位ブロックを使用する第２領域を区別するための第１アドレス及び第２アドレスの信号処理を行って前記情報記録媒体に／からデータを記録／再生する信号処理部と、前記情報記録媒体の第１領域には、第１アドレスを使用し、第２領域には第２アドレスを使用してデータを記録及び／または再生するように前記信号処理部を制御する制御部とを備える。
2007527590.tif 000002
【特許請求の範囲】
【請求項１】
記録及び／または再生装置において、
情報記録媒体のデータ記録可能領域に設けられた第１領域、及び前記データ記録可能領域に設けられ、前記第１領域に使われる記録及び／または再生単位ブロックの大きさと異なる大きさの記録及び／または再生単位ブロックを使用する第２領域を区別するための第１アドレス及び第２アドレスの信号処理を行って前記情報記録媒体に／からデータを記録／再生する信号処理部と、
前記情報記録媒体の第１領域には、第１アドレスを使用し、第２領域には、第２アドレスを使用して、データを記録及び／または再生するように前記信号処理部を制御する制御部とを備えることを特徴とする記録及び／または再生装置。
【請求項２】
前記信号処理部は、前記第１アドレスを第１ウォッブル処理方法により処理する第１ウォッブル処理部と、前記第２アドレスを第２ウォッブル処理方法により処理する第２ウォッブル処理部とを有するウォッブル信号処理部とを備え、
前記制御部は、
データを前記第１領域に記録及び／または再生する場合には、前記データに関する第１アドレスを前記第１ウォッブル処理部により処理されるように制御し、データを前記第２領域に記録及び／または再生する場合には、前記データに関する第２アドレスを前記第２ウォッブル処理部により処理されるように前記ウォッブル信号処理部を制御することを特徴とする請求項１に記載の記録及び／または再生装置。
【請求項３】
前記第１ウォッブル処理方法と前記第２ウォッブル処理方法は、相異なるウォッブル変調方式を用いることを特徴とする請求項２に記載の記録及び／または再生装置。
【請求項４】
前記第１ウォッブル処理方法は、バイナリフェーズシフトキー動作を利用し、前記第２ウォッブル処理方法は周波数シフトキー動作を用いることを特徴とする請求項３に記載の記録及び／または再生装置。
【請求項５】
前記第１ウォッブル処理方法と前記第２ウォッブル処理方法は、相異なる基本周波数を用いることを特徴とする請求項２に記載の記録及び／または再生装置。
【請求項６】
前記第１ウォッブル処理方法と前記第２ウォッブル処理方法は、相異なるチャンネルクロックのウォッブル周期を用いることを特徴とする請求項２に記載の記録及び／または再生装置。
【請求項７】
前記信号処理部は、前記第１アドレスを検出する第１アドレス検出部及び前記第２アドレスを検出する第２アドレス検出部を有するアドレス検出部を備え、
前記制御部は、
前記データを前記第１領域に記録及び／または再生する場合には、前記データに関する第１アドレスが前記第１アドレス検出部により検出されるように制御し、データを前記第２領域に記録及び／または再生する場合には、前記データに関する第２アドレスが前記第２アドレス検出部により検出されるように制御することを特徴とする請求項１に記載の記録及び／または再生装置。
【請求項８】
前記第２アドレスは、前記第１アドレスには存在していない識別子を備えることを特徴とする請求項７に記載の記録及び／または再生装置。
【請求項９】
前記第１アドレス及び前記第２アドレスは、各々シンクとアドレスデータとで構成され、
前記第２アドレスに含まれる前記識別子は、前記第１アドレスのシンクの反復回数変更、前記第１アドレスのシンクの順序変化、前記第１アドレスのシンク組合わせの変化、特定パターンの使用、特定組合わせの使用のうち、少なくとも１つを用いて設けられることを特徴とする請求項８に記載の記録及び／または再生装置。
【請求項１０】
前記第１アドレス及び前記第２アドレスは、各々シンクとアドレスデータとで構成され、
前記第２アドレスに含まれる識別子は、前記第２アドレスのアドレスデータに前記第１アドレスで使われていない識別子を挿入することによって表れることを特徴とする請求項８に記載の記録及び／または再生装置。
【請求項１１】
前記第２アドレスを構成するビット数は、前記第１アドレスを構成するビット数と異なることを特徴とする請求項７に記載の記録及び／または再生装置。
【請求項１２】
前記信号処理部は、
前記第１アドレスを第１ウォッブル処理方法により処理する第１ウォッブル処理部、及び前記第２アドレスを第２ウォッブル処理方法により処理する第２ウォッブル処理部を有するウォッブル信号処理部と、
前記第１ウォッブル処理部により処理された第１アドレスを検出する第１アドレス検出部、及び前記第２ウォッブル処理部により処理された第２アドレスを検出する第２アドレス検出部を有するアドレス検出部とを備え、
前記制御部は、
データを前記第１領域に記録及び／または再生する場合には、前記データに関する第１アドレスを前記第１ウォッブル処理部により処理されて、前記第１アドレス検出部により検出されるように制御し、データを前記第２領域に記録及び／または再生する場合には、前記データに関する第２アドレスを前記第２ウォッブル処理部により処理されて、前記第２アドレス検出部により検出されるように制御することを特徴とする請求項１に記載の記録及び／または再生装置。
【請求項１３】
ディスク成形装置において、
情報記録媒体のデータ記録可能領域に設けられた第１領域、及び前記データ記録可能領域に設けられて前記第１領域に使われる記録及び／または再生単位ブロックと異なる大きさの記録及び／または再生単位ブロックを使用する第２領域を区別できるように前記情報記録媒体に前記第１アドレス及び第２アドレスが生成されるように制御する制御部と、
前記制御部の制御によって前記情報記録媒体に前記第１アドレス及び第２アドレスを生成するカット部とを備えることを特徴とする請求項１に記載のディスク成形装置。
【請求項１４】
前記カット部は、前記第１アドレスを第１ウォッブル処理方法により処理する第１ウォッブル処理部、及び前記第２アドレスを第２ウォッブル処理方法により処理する第２ウォッブル処理部を有する変調部を備え、
前記制御部は、
アドレス情報を前記第１領域に生成する場合には、前記第１アドレスを前記第１ウォッブル処理部により処理されるように制御し、アドレス情報を前記第２領域に生成する場合には、前記第２アドレスを前記第２ウォッブル処理部により処理されるように制御することを特徴とする請求項１３に記載のディスク成形装置。
【請求項１５】
前記第１ウォッブル処理方法と前記第２ウォッブル処理方法は、相異なるウォッブル変調方式を用いることを特徴とする請求項１４に記載のディスク成形装置。
【請求項１６】
前記第１ウォッブル処理方法は、バイナリフェーズシフトキー動作を利用し、前記第２ウォッブル処理方法は、周波数シフトキー動作を用いることを特徴とする請求項１５に記載のディスク成形装置。
【請求項１７】
前記第１ウォッブル処理方法と前記第２ウォッブル処理方法は、相異なる基本周波数を用いることを特徴とする請求項１４に記載のディスク成形装置。
【請求項１８】
前記第１ウォッブル処理方法と前記第２ウォッブル処理方法は、相異なるチャンネルクロックのウォッブル周期を用いることを特徴とする請求項１４に記載のディスク成形装置。
【請求項１９】
前記カット部は、前記第１アドレスを生成する第１アドレス生成部と前記第２アドレスを生成する第２アドレス生成部とを有する信号処理部を備え、
前記制御部は、
前記アドレス情報を前記第１領域に生成する場合には、前記第１アドレスが前記第１アドレス生成部により検出されるように制御し、アドレス情報を前記第２領域に生成する場合には、前記第２アドレスが前記第２アドレス生成部により生成されるように制御することを特徴とする請求項１３に記載のディスク成形装置。
【請求項２０】
前記第２アドレスは、前記第１アドレスには存在していない識別子を含むことを特徴とする請求項１９に記載のディスク成形装置。
【請求項２１】
前記第１アドレス及び前記第２アドレスは、各々シンクとアドレスデータとで構成され、
前記第２アドレスに含まれる前記識別子は、前記第１アドレスのシンクの反復回数変更、前記第１アドレスのシンクの順序変化、前記第１アドレスのシンク組合わせの変化、特定パターンの使用、特定組合わせの使用のうち、少なくとも１つを用いて設けられることを特徴とする請求項１９に記載のディスク成形装置。
【請求項２２】
前記第１アドレス及び前記第２アドレスは、各々シンクとアドレスデータとで構成され、
前記第２アドレスに含まれる識別子は、前記第２アドレスのアドレスデータに前記第１アドレスで使われていない識別子を挿入することによって表れることを特徴とする請求項１９に記載のディスク成形装置。
【請求項２３】
前記第２アドレスを構成するビット数は、前記第１アドレスを構成するビット数と異なることを特徴とする請求項１９に記載のディスク成形装置。
【請求項２４】
前記カット部は、
前記第１アドレスを第１ウォッブル処理方法により処理する第１ウォッブル処理部と前記第２アドレスを第２ウォッブル処理方法により処理する第２ウォッブル処理部とを有する変調部、及び前記第１ウォッブル処理された情報を第１アドレスフォーマットに合わせて生成する第１アドレス生成部と前記第２ウォッブル処理された情報を第２アドレスフォーマットに合わせて生成する第２アドレス生成部を有する信号処理部を備え、
前記制御部は、
アドレス情報を前記第１領域に生成する場合には、前記第１アドレスを前記第１ウォッブル処理部により処理され、第１アドレス生成部により生成されるように制御し、アドレス情報を前記第２領域に生成する場合には、前記第２アドレスを前記第２ウォッブル処理部により処理され、第２アドレス生成部により生成されるように制御することを特徴とする請求項１８に記載のディスク成形装置。
【請求項２５】
記録及び／または再生方法において、
情報記録媒体のデータ記録可能領域に設けられた第１領域及び前記データ記録可能領域に設けられ、前記第１領域に使われる記録及び／または再生単位ブロックと異なる大きさの記録及び／または再生単位ブロックを使用する第２領域を区別するための第１アドレス及び第２アドレスの信号処理を行って前記第１領域及び第２領域に／から各々データを記録／再生する段階を含むことを特徴とする記録及び／または再生方法。
【請求項２６】
データを前記第１領域に記録及び／または再生する場合には、前記データに関する第１アドレスを前記第１ウォッブル処理方法により処理されるように制御し、データを前記第２領域に記録及び／または再生する場合には、前記データに関する第２アドレスを前記第２ウォッブル処理方法により処理されるように制御する段階をさらに含むことを特徴とする請求項２５に記載の記録及び／または再生方法。
【請求項２７】
前記第１ウォッブル処理方法と前記第２ウォッブル処理方法は、相異なるウォッブル変調方式を用いることを特徴とする請求項２６に記載の記録及び／または再生方法。
【請求項２８】
前記第１ウォッブル処理方法は、バイナリフェーズシフトキー動作を利用し、前記第２ウォッブル処理方法は、周波数シフトキー動作を利用することを特徴とする請求項２７に記載の記録及び／または再生方法。
【請求項２９】
前記第１ウォッブル処理方法と前記第２ウォッブル処理方法は、相異なる基本周波数を用いることを特徴とする請求項２６に記載の記録及び／または再生方法。
【請求項３０】
前記第１ウォッブル処理方法と前記第２ウォッブル処理方法は、相異なるチャンネルクロックのウォッブル周期を用いることを特徴とする請求項２６に記載の記録及び／または再生方法。
【請求項３１】
データを前記第１領域に記録及び／または再生する場合には、前記データに関する第１アドレスが検出されるように制御し、データを前記第２領域に記録及び／または再生する場合には、前記データに関する第２アドレスが検出されるように制御する段階を含むことを特徴とする請求項２５に記載の記録及び／または再生方法。
【請求項３２】
前記第２アドレスは、前記第１アドレスには存在していない識別子を含むことを特徴とする請求項３１に記載の記録及び／または再生方法。
【請求項３３】
前記第１アドレス及び前記第２アドレスは、各々シンクとアドレスデータとで構成され、
前記第２アドレスに含まれる前記識別子は、前記第１アドレスのシンクの反復回数変更、前記第１アドレスのシンクの順序変化、前記第１アドレスのシンク組合わせの変化、特定パターンの使用、特定組合わせの使用のうち、少なくとも１つを用いて設けられることを特徴とする請求項３２に記載の記録及び／または再生方法。
【請求項３４】
前記第１アドレス及び前記第２アドレスは、各々シンクとアドレスデータとで構成され、
前記第２アドレスに含まれる識別子は、前記第２アドレスのアドレスデータに前記第１アドレスで使われていない識別子を挿入することによって表れることを特徴とする請求項３２に記載の記録及び／または再生方法。
【請求項３５】
前記第２アドレスを構成するビット数は、前記第１アドレスを構成するビット数と異なることを特徴とする請求項３２に記載の記録及び／または再生方法。
【請求項３６】
データを前記第１領域に記録及び／または再生する場合には、前記データに関する第１アドレスを前記第１ウォッブル処理方法により処理されて、第１アドレス検出部により検出されるように制御し、データを前記第２領域に記録及び／または再生する場合には、前記データに関する第２アドレスを前記第２ウォッブル処理方法により処理されて、第２アドレス検出部により検出されるように制御する段階をさらに含むことを特徴とする請求項２５に記載の記録及び／または再生方法。
【請求項３７】
ディスク成形方法において、
情報記録媒体のデータ記録可能領域に設けられた第１領域及び前記データ記録可能領域に設けられ、前記第１領域に使われる記録及び／または再生単位ブロックと異なる大きさの記録及び／または再生単位ブロックを使用する第２領域を区別できるように前記情報記録媒体に前記第１アドレス及び第２アドレスを生成する段階を含むことを特徴とするディスク成形方法。
【請求項３８】
アドレス情報を前記第１領域に生成する場合には、前記第１アドレスを前記第１ウォッブル処理方法により処理されるように制御し、アドレス情報を前記第２領域に生成する場合には、前記第２アドレスを前記第２ウォッブル処理方法により処理されるように制御する段階をさらに含むことを特徴とする請求項３７に記載のディスク成形方法。
【請求項３９】
前記第１ウォッブル処理方法と前記第２ウォッブル処理方法は、相異なるウォッブル変調方式を用いることを特徴とする請求項３８に記載のディスク成形方法。
【請求項４０】
前記第１ウォッブル処理方法は、バイナリフェーズシフトキー動作を利用し、前記第２ウォッブル処理方法は周波数シフトキー動作を利用することを特徴とする請求項３９に記載のディスク成形方法。
【請求項４１】
前記第１ウォッブル処理方法と前記第２ウォッブル処理方法は、相異なる基本周波数を用いることを特徴とする請求項３８に記載のディスク成形方法。
【請求項４２】
前記第１ウォッブル処理方法と前記第２ウォッブル処理方法は、相異なるチャンネルクロックのウォッブル周期を用いることを特徴とする請求項３８に記載のディスク成形方法。
【請求項４３】
前記アドレス情報を前記第１領域に生成する場合には、前記第１アドレスが生成されるように制御し、アドレス情報を前記第２領域に生成する場合には、前記第２アドレスが生成されるように制御する段階をさらに含むことを特徴とする請求項３７に記載のディスク成形方法。
【請求項４４】
前記第２アドレスは、前記第１アドレスには存在していない識別子を含むことを特徴とする請求項４３に記載のディスク成形方法。
【請求項４５】
前記第１アドレス及び前記第２アドレスは、各々シンクとアドレスデータとで構成され、
前記第２アドレスに含まれる前記識別子は、前記第１アドレスのシンクの反復回数変更、前記第１アドレスのシンクの順序変化、前記第１アドレスのシンク組合わせの変化、特定パターンの使用、特定組合わせの使用のうち、少なくとも１つを用いて設けられることを特徴とする請求項４４に記載のディスク成形方法。
【請求項４６】
前記第１アドレス及び前記第２アドレスは、各々シンクとアドレスデータとで構成され、
前記第２アドレスに含まれる識別子は、前記第２アドレスのアドレスデータに前記第１アドレスで使われていない識別子を挿入することによって表れることを特徴とする請求項４４に記載のディスク成形方法。
【請求項４７】
前記第２アドレスを構成するビット数は、前記第１アドレスを構成するビット数と異なることを特徴とする請求項４４に記載のディスク成形方法。
【請求項４８】
アドレス情報を前記第１領域に生成する場合には、前記第１アドレスを前記第１ウォッブル処理方法により処理されて、第１アドレス生成部により生成されるように制御し、アドレス情報を前記第２領域に生成する場合には、前記第２アドレスを前記第２ウォッブル処理方法により処理されて、第２アドレス生成部により生成されるように制御する段階をさらに含むことを特徴とする請求項３７に記載のディスク成形方法。
【請求項４９】
情報記録媒体において、
前記情報記録媒体のデータ記録可能領域に設けられ、第１アドレスが使われる第１領域、
前記データ記録可能領域に設けられ、前記第１領域に使われる記録及び／または再生単位ブロックと異なる大きさの記録及び／または再生単位ブロックが使われ、前記第１領域の記録及び／または再生単位ブロックと区別するための第２アドレスが使われる第２領域を備えることを特徴とする情報記録媒体。
【請求項５０】
前記第１アドレスと前記第２アドレスは、相異なるウォッブル変調方式を利用するか、相異なる基本周波数を利用するか、あるいは、相異なるチャンネルクロックのウォッブル周期を用いることを特徴とする請求項４９に記載の情報記録媒体。
【請求項５１】
前記第２アドレスは、前記第１アドレスには存在していない識別子を含むことを特徴とする請求項４９に記載の情報記録媒体。
【請求項５２】
前記第２アドレスを構成するビット数は、前記第１アドレスを構成するビット数と異なることを特徴とする請求項４９に記載の情報記録媒体。
【請求項５３】
情報記録媒体において、
前記情報記録媒体の円周に位置した複数の記録及び／または再生領域であって、各記録及び／または再生領域は、前記記録及び／または再生領域の円周長さによって特定の記録及び／または再生単位ブロックを使用する、複数の記録及び／または再生領域を備え、
前記各記録及び／または再生領域の円周より長い記録及び／または再生単位ブロックのオーバーラッピングを防止するために、記録及び／または再生単位ブロックは非オーバーラッピング領域に使われる記録及び／または再生単位ブロックと異なるオーバーラッピング領域に使われることを特徴とする情報記録媒体。
【請求項５４】
情報記録媒体に／からデータを記録／再生する記録及び／または再生装置において、
前記情報記録媒体に位置された複数の記録及び／または再生領域を識別するために複数のアドレスの信号処理を行う信号処理部であって、前記複数の記録及び／または再生領域のうち１つは、複数の記録及び／または再生領域の他の領域に含まれた記録及び／または再生単位ブロックのサイズと異なるサイズを有する記録及び／または再生単位を含む信号処理部と、
前記複数の記録及び／または再生領域のそれぞれの複数のアドレスの各々を用いるデータを記録及び／または再生するように前記信号処理部を制御する制御部と、を備えることを特徴とする記録及び／または再生装置。
【請求項５５】
ディスク製造装置において、
記録及び／または再生領域の各々が記録及び／または再生単位ブロックによって各々相互識別されるように、前記情報記録媒体に複数の記録及び／または再生領域に関連した複数のアドレスを生成する信号処理部と、
前記情報記録媒体に前記信号処理部により生成された複数のアドレスを生成するカット部とを備え、
所定の円周長を有する前記情報記録媒体の第１領域に位置した第１記録及び／または再生領域の記録及び／または再生単位ブロックのサイズは、前記記録及び／または再生単位ブロック長より短くない円周長を有する前記情報記録媒体の第２領域に位置した記録及び／または再生領域の記録及び／または再生単位ブロックのサイズと異なることを特徴とするディスク製造装置。
【請求項５６】
ディスク製造装置のウォッブル信号処理部において、
前記情報記録媒体に記録されたデータのためのアドレス情報を復調する第１及び第２復調部と、
前記情報記録媒体の第１記録及び／または再生領域のアドレス情報が前記第１復調部により復調され、前記情報記録媒体の第２記録及び／または再生領域のアドレス情報が前記第２復調部により復調されるように前記アドレス情報の復調を制御する制御部と、を備えることを特徴とするディスク製造装置のウォッブル信号処理部。
【請求項５７】
情報記録媒体にあらかじめ記録された同じウォッブルと同じアドレスを有する２つの相異なる記録及び／または再生単位ブロックを識別する方法において、
前記記録及び／または再生単位ブロックの長さと同一か、さらに長い円周長を有する、前記情報記録媒体の記録領域の記録及び／または再生単位ブロックに識別子を挿入する段階を含み、
前記識別子を有する前記記録及び／または再生単位ブロックを有する前記情報記録媒体の前記記録領域は、前記記録及び／または再生単位ブロック長より短い円周長を有するさらなる領域と識別されることを特徴とする情報記録媒体にあらかじめ記録された同じウォッブルと同じアドレスを有する２つの相異なる記録及び／または再生単位ブロックを識別する方法。
【請求項５８】
方法を行うためにコンピュータで読取り可能な記録媒体上のコンピュータで読取り可能なコードにおいて、前記方法は、
前記コンピュータで読取り可能な記録媒体のデータ記録可能領域に位置した第１領域が前記データ記録可能領域に配置された第２領域と区別され、前記第２領域は前記第１領域に使われた記録及び／または再生単位ブロックのサイズと異なるサイズを有する記録及び／または再生単位ブロックを用いるように、前記コンピュータで読取り可能な記録媒体に第１アドレスと第２アドレスとを生成する段階を含むことを特徴とするコンピュータで読取り可能なコード。
【発明の詳細な説明】
【技術分野】
【０００１】
本発明は、情報記録媒体に係り、さらに詳細には、記録及び／または再生装置／方法、ディスク成形装置／方法及び情報記録媒体に関する。
【背景技術】
【０００２】
現在ＤＶＤのＣＢＬ（チャンネルビット長）は、０．１３３ｕｍである。ＤＶＤに保存されるデータが次第に高密度化されて行く趨勢につれて、ＤＶＤトラックの広さとＣＢＬは縮まりつつある。しかし、ＣＢＬが減少すれば、エラー訂正能力が低下するので、記録または再生単位ブロックの大きさを、例えば、３２Ｋｂｙｔｅｓから６４Ｋｂｙｔｅｓに増加させ、ＣＢＬの減少によるエラー訂正能力の低下を補完しうる。このように記録または再生単位ブロックの大きさを増加させてエラー訂正能力の低下を補完することは、８０ｍｍ、１２０ｍｍディスクでは望ましい方法である。しかし、記録媒体が益々小型化されるにつれて、データが記録される開始点の開始半径が小さくなり、これにより、データ記録地点の円周が記録または再生単位ブロック長より短い領域が存在するようになる。
【０００３】
図１は、従来の技術によって記録及び／または再生単位ブロック、またはＥＣＣブロックの長さが１つの円周を超える時、重畳領域で発生したスクラッチを示す。図１に示されたように記録される領域の円周が記録または再生単位ブロック長より短い場合には、１つのブロックが１つの円周より大きくなるので、重畳領域が生じ、もし、このような重畳領域にスクラッチが発生する場合には、エラー訂正能力を大幅に低下させてデータの信頼性に問題を引き起こしうる。
【０００４】
以下、さらに詳細に説明する。
【０００５】
ディスク型記録可能な情報記録媒体においてデータは、情報記録媒体のトラックに沿って内周から外周に、または外周から内周に記録される。もし、１つの記録または再生単位ブロック、または１つのエラー訂正コードブロック（ＥＣＣブロック）の長さが情報記録媒体の半径（または直径）による円周を超える場合には、１つの記録または再生単位ブロックまたは１つのＥＣＣブロック内で半径方向に重畳部分が存在する。そして、ホコリやスクラッチまたは指紋によるエラーは、一般的に隣接した複数のトラックに亙って影響を及ぼす。これにより、重畳部分でホコリやスクラッチまたは指紋によるエラーの影響は１つのＥＣＣブロック内で倍加されてデータの信頼性を顕著に低下させる。
【０００６】
図１は、重畳領域で発生したスクラッチを示す図である。例えば、図１を参照して分かるように、重畳領域からトラック方向に１ｍｍ長さのスクラッチが発生した時Ｌ、実質的に１つのＥＣＣブロックに及ぼす影響は、２ｍｍ長さのスクラッチが発生したことと同一になってデータの信頼性を顕著に低下させる。
【０００７】
ＤＶＤのＲＳＰＣ（リードソロモンプロダクトコード）の場合、４１６シンクフレームで構成されてユーザデータ３２Ｋｂｙｔｅｓを含んでいるが、１つのシンクフレームは１４８８チャンネルビットを有する。これは、ＤＶＤスペックを参照すれば、詳細に分かる。１つのチャンネルビットの長さが０．１３３ｕｍであるために、１つの記録または再生ブロックが占めるトラック方向の長さは４１６＊１４８８＊０．１３３ｕｍ＝８２，３２８．０６４ｕｍである。８２，３２８．０６４／３．１４＝約２６，２１９．１２９ｕｍであるために、半径約１３．１ｍｍ以前には円周が記録または再生単位ブロック長より短い。１つのシンクフレームが占める長さ＝１４８８＊０．１３３ｕｍ＝１９７．９０４ｕｍであり、よって１．６ｍｍのスクラッチは、約８シンクフレームに連続して影響を及ぼす。この場合、縦方向のリードソロモン（ＲＳ）（２０８、１９２、１７）コードに対しては、４Ｂｙｔｅのエラーを誘発させる（ケース１）。そして、重畳部分にスクラッチが発生した場合は、縦方向のＲＳ（２０８、１９２、１７）コードに２倍である８バイトのエラーを誘発させる（ケース２）。
【０００８】
スクラッチが発生した部分に対してイレーズコレクションを行うと家庭し、バイトエラー率が１０−３である時、縦方向のＲＳ（２０８、１９２、１７）コードのエラー訂正能力は次の式（１）によって計算される。
【０００９】
【数１】
2007527590.tif 000003
ここで、ＣＥＲは、コードワードエラー率を意味し、ｅは、イレーズ数を、ｐは、バイトエラー率を意味する。
【００１０】
式（１）を用いてケース１に対してＣＥＲを計算すれば、ｐ＝０．００１であり、ｅ＝４であるために、ＣＥＲ≒２．２ｘ１０−９となる。そして、ケース２に対してＣＥＲを計算すれば、ｐ＝０．００１であり、ｅ＝８であるために、ＣＥＲ≒２．２ｘ１０−６となる。
【００１１】
ケース２において、小さなホコリのようなランダムエラーにより重畳部分でエラーが重複発生する場合は、考慮していない。もちろん、そのような場合まで考慮するならば、結果はさらに悪化される。このように重畳領域でのスクラッチに対する影響はデータの信頼性に致命的である。もちろん、ＲＳＰＣは、複数の訂正が可能な構造である。しかし、コードのエラー訂正能力の低下を無視してはならない。ＤＶＤ環境でＲＳＰＣの最大エラー訂正長さは、約６ｍｍ程度である。しかし、円周より長い領域に記録または再生単位データを保存する場合、例えば、半径７ｍｍにデータを記録した場合、ほぼ２トラックに亙って１つのＲＳＰＣブロックが存在するために最大エラー訂正長さは３ｍｍに減少する。
【００１２】
このように記録または再生単位ブロックが記録される領域の円周が記録または再生単位ブロック長より短い場合には、重畳領域が生じてエラー訂正能力を相当部分低下させて、データの信頼性に問題を引き起こしうる。
【発明の開示】
【発明が解決しようとする課題】
【００１３】
本発明は、前記問題点を解決して情報記録媒体の記録可能領域に相異なる記録及び／または再生単位ブロックを使用する領域を備え、その領域に適したアドレスを使用可能にする記録及び／または再生装置、ディスク成形装置、記録及び／または再生方法、ディスク成形方法及びその情報記録媒体を提供することを目的とする。
【課題を解決するための手段】
【００１４】
前記課題を解決するための本発明の一特徴は、記録及び／または再生装置において、情報記録媒体のデータ記録可能領域に設けられた第１領域及び前記データ記録可能領域に設けられて前記第１領域に使われる記録及び／または再生単位ブロックの大きさと異なる大きさの記録及び／または再生単位ブロックを使用する第２領域を区別するための第１アドレス及び第２アドレスの信号処理を行って、前記情報記録媒体に／からデータを記録／再生する信号処理部と、前記情報記録媒体の第１領域には第１アドレスを使用し、第２領域には第２アドレスを使用して、データを記録及び／または再生するように前記信号処理部を制御する制御部とを備えることである。
【００１５】
前記信号処理部は、前記第１アドレスを第１ウォッブル処理方法により処理する第１ウォッブル処理部と、前記第２アドレスを第２ウォッブル処理方法により処理する第２ウォッブル処理部とを有するウォッブル信号処理部を備え、前記制御部は、データを前記第１領域に記録及び／または再生する場合には、前記データに関する第１アドレスを前記第１ウォッブル処理部により処理されるように制御し、データを前記第２領域に記録及び／または再生する場合には、前記データに関する第２アドレスを前記第２ウォッブル処理部により処理されるように制御することが望ましい。
【００１６】
前記第１ウォッブル処理方法と前記第２ウォッブル処理方法は、相異なるウォッブル変調方式を利用し、前記第１ウォッブル処理方法はＢＰＳＫを利用し、前記第２ウォッブル処理方法はＦＳＫを利用しうる。
【００１７】
前記第１ウォッブル処理方法と前記第２ウォッブル処理方法は、相異なる基本周波数を利用するか、あるいは、相異なるチャンネルクロックのウォッブル周期を利用しうる。
【００１８】
また、前記信号処理部は、前記第１アドレスを検出する第１アドレス検出部と前記第２アドレスを検出する第２アドレス検出部を有するアドレス検出部を備え、前記制御部は、前記データを前記第１領域に記録及び／または再生する場合には、前記データに関する第１アドレスが前記第１アドレス検出部により検出されるように制御し、データを前記第２領域に記録及び／または再生する場合には、前記データに関する第２アドレスが前記第２アドレス検出部により検出されるように制御することが望ましい。
【００１９】
前記第２アドレスは、前記第１アドレスには存在していない識別子を備え得る。
【００２０】
前記第１アドレス及び前記第２アドレスは、各々シンクとアドレスデータとで構成され、前記第２アドレスに含まれる前記識別子は、前記第１アドレスのシンクの反復回数変更、前記第１アドレスのシンクの順序変化、前記第１アドレスのシンク組合わせの変化、特定パターンの使用、特定組合わせの使用のうち、少なくとも１つを用いて設けられることが望ましい。
【００２１】
前記第１アドレス及び前記第２アドレスは、各々シンクとアドレスデータとで構成され、前記第２アドレスに含まれる識別子は、前記第２アドレスのアドレスデータに前記第１アドレスで使われていない識別子を挿入することによって表されうる。
【００２２】
前記第２アドレスを構成するビット数は、前記第１アドレスを構成するビット数と異ならせうる。
【００２３】
前記信号処理部は、前記第１アドレスを第１ウォッブル処理方法により処理する第１ウォッブル処理部と前記第２アドレスを第２ウォッブル処理方法により処理する第２ウォッブル処理部とを有するウォッブル信号処理部と、前記第１ウォッブル処理部により処理された第１アドレスを検出する第１アドレス検出部と前記第２ウォッブル処理部により処理された第２アドレスを検出する第２アドレス検出部とを有するアドレス検出部と、を備え、前記制御部は、データを前記第１領域に記録及び／または再生する場合には、前記データに関する第１アドレスを前記第１ウォッブル処理部により処理され、前記第１アドレス検出部により検出されるように制御し、データを前記第２領域に記録及び／または再生する場合には、前記データに関する第２アドレスを前記第２ウォッブル処理部により処理されて前記第２アドレス検出部により検出されるように制御することが望ましい。
【００２４】
本発明の他の特徴は、ディスク成形装置において、情報記録媒体のデータ記録可能領域に設けられた第１領域及び前記データ記録可能領域に設けられ、前記第１領域に使われる記録及び／または再生単位ブロックと異なる大きさの記録及び／または再生単位ブロックを使用する第２領域を区別可能に、前記情報記録媒体に前記第１アドレス及び第２アドレスが生成されるように制御する制御部と、前記制御部の制御によって前記情報記録媒体に前記第１アドレス及び第２アドレスを生成するカット部を備えうる。
【００２５】
前記カット部は、前記第１アドレスを第１ウォッブル処理方法により処理する第１ウォッブル処理部と前記第２アドレスを第２ウォッブル処理方法により処理する第２ウォッブル処理部とを有する変調部を備え、前記制御部は、アドレス情報を前記第１領域に生成する場合には、前記第１アドレスを前記第１ウォッブル処理部により処理されるように制御し、アドレス情報を前記第２領域に生成する場合には、前記第２アドレスを前記第２ウォッブル処理部により処理されるように制御することが望ましい。
【００２６】
また、前記カット部は、前記第１アドレスを生成する第１アドレス生成部と前記第２アドレスを生成する第２アドレス生成部を有する信号処理部を含み、前記制御部は、前記アドレス情報を前記第１領域に生成する場合には、前記第１アドレスが前記第１アドレス生成部により検出されるように制御し、アドレス情報を前記第２領域に生成する場合には、前記第２アドレスが前記第２アドレス生成部により生成されるように制御することが望ましい。
【００２７】
また、前記カット部は、前記第１アドレスを第１ウォッブル処理方法により処理する第１ウォッブル処理部と前記第２アドレスを第２ウォッブル処理方法により処理する第２ウォッブル処理部を有する変調部及び前記第１ウォッブル処理された情報を第１アドレスフォーマットに合わせて生成する第１アドレス生成部と前記第２ウォッブル処理された情報を第２アドレスフォーマットに合わせて生成する第２アドレス生成部を有する信号処理部と、を備え、前記制御部は、アドレス情報を前記第１領域に生成する場合には、前記第１アドレスを前記第１ウォッブル処理部により処理し、第１アドレス生成部によって生成されるように制御し、アドレス情報を前記第２領域に生成する場合には、前記第２アドレスを前記第２ウォッブル処理部により処理し、第２アドレス生成部により生成されるように制御することが望ましい。
【００２８】
本発明のさらに他の特徴は、記録及び／または再生方法において、情報記録媒体のデータ記録可能領域に設けられた第１領域及び前記データ記録可能領域に設けられ、前記第１領域で使われる記録及び／または再生単位ブロックと異なる大きさの記録及び／または再生単位ブロックを使用する第２領域を区別するための第１アドレス及び第２アドレスの信号処理を行って、前記第１領域及び第２領域に／から各々データを記録／再生する段階を含むことである。
【００２９】
本発明のさらに他の特徴は、ディスク成形方法において、情報記録媒体のデータ記録可能領域に設けられた第１領域及び前記データ記録可能領域に設けられ、前記第１領域に使われる記録及び／または再生単位ブロックと異なる大きさの記録及び／または再生単位ブロックを使用する第２領域を区別可能に前記情報記録媒体に前記第１アドレス及び第２アドレスを生成する段階を含むことである。
【００３０】
本発明のさらに他の特徴は、情報記録媒体において、前記情報記録媒体のデータ記録可能領域に設けられ、第１アドレスが使われる第１領域、及び前記データ記録可能領域に設けられ、前記第１領域で使われる記録及び／または再生単位ブロックと異なる大きさの記録及び／または再生単位ブロックが使われ、前記第１領域の記録及び／または再生単位ブロックと区別するための第２アドレスが使われる第２領域を含むことである。
【００３１】
前記第１アドレスと前記第２アドレスは、相異なるウォッブル変調方式を用いるか、相異なる基本周波数を用いるか、あるいは相異なるチャンネルクロックのウォッブル周期を用いることが望ましい。
【００３２】
前記第２アドレスは、前記第１アドレスには存在していない識別子を含むか、前記第２アドレスを構成するビット数は前記第１アドレスを構成するビット数と異なり得る。
【発明の効果】
【００３３】
本発明によれば、光ディスクのアクセスやその他の情報読出のためにアドレス情報やその他の情報をディスク上にウォッブル形態に成形する時、２つの異なる記録または再生単位ブロックを有する領域に対して相異なるウォッブルでアドレスを生成して、相異なる大きさの記録または再生単位ブロックを区別するか、同じウォッブルに２つのブロックを区分する識別子を含めてアドレスを生成して、相異なる大きさの記録または再生単位ブロックを区別することによって、１つの記録または再生単位ブロックが重なることを防止してエラー訂正効率を高めうる。
【発明を実施するための最良の形態】
【００３４】
以下、添付された図面を参照して本発明による望ましい一実施形態を詳細に説明する。
【００３５】
図３は、本発明が適用される小型記録媒体のディスク構造である。図３を参照するに、ディスクは、記録再生可能領域に２つの領域を含む。第１領域は、ディスクの内周部分に位置し、第２領域は、第１領域が終わる部分からディスクの外周部分まで位置する。
【００３６】
ディスクの内周部分に位置した第１領域では、記録及び／または再生単位ブロックが円周の長さより長くて、１つの記録及び／または再生単位ブロックが重なることを防止するために、重畳領域では重畳されない領域と異なる記録または再生単位ブロックを使用する。言い換えれば、円周より短い記録または再生単位ブロックを使用する。これにより、情報記録媒体の記録可能な領域に２つの異なる記録または再生単位ブロックを使用し、このような２つの異なる記録または再生単位ブロックを使用可能にするために、各領域に適用されるアドレスを使用する。以下では、ウォッブルとアドレスの形態による様々な場合に対してアドレス変調を行う方法を詳細に説明する。
【００３７】
第１実施形態
本発明の第１実施形態は、第１領域と第２領域のアドレスを同じウォッブル形態と同じアドレス大きさで表現する方法である。
【００３８】
既存の記録または再生単位ブロックを使用しうる第１領域と第１領域に使われる記録または再生単位ブロックの大きさより小さい記録または再生単位のブロックを有する第２領域を区別するために同じウォッブルと媒体上にあらかじめ記録される同じアドレスを有するが、２つの記録または再生単位ブロックの物理的な長さを異ならせるために識別子を含めてアドレスを生成することによって、２つの異なる記録または再生単位ブロックを区別しうる。
【００３９】
すなわち、既存のアドレス方式を使用する第１領域と区別される第２領域は、識別子を使用して記録または再生単位ブロックの物理的な長さを変化させてアドレスを表現する。第２領域で使われる識別子は、シンクの反復回数、シンクの順序変化、シンク組合わせの変化、特定パターンの使用、特定組合わせの使用などを通じて相異なる２つの領域を区別する。
【００４０】
大きく、シンクパートに第２領域であることを表す識別子を含めて区分するか、データパートに第２領域であることを表す識別子を含めて区分しうる。
【００４１】
シンクパートに第２領域であることを表す識別子を含めて区分する方法では、第２領域のアドレスとして第１領域で使われるシンクパートを複数個使用するか、第２領域のアドレスとして第１領域で使われるシンクビット（ｓｙｎｃ  ｂｉｔ）の順序を変化させるか、第１領域で使われるシンクビットの組合わせを変化させて表現するか、第２領域のアドレスとして第１領域で使われていない特定パターンを挿入して表現するか、または第２領域のアドレスの特定位置に特定の値を表すデータビットを挿入するか、第１領域で使用するあるパターンとデータビットとして第１領域で使われていない特定組合わせを生成して表現しうる。
【００４２】
データパートに第２領域であることを表す識別子を含めて区分する方法としては、第２領域のアドレスとしてデータパートに、第１領域で使用していない識別子を使用することによって、第１領域と第２領域とを区別しうる。
【００４３】
以下、図４Ａないし図９Ｂを参照して前記説明した各場合の例を説明する。
【００４４】
第２領域のアドレスとして第１領域で使われるシンクパートを複数個使用する場合
図４Ａ及び図４Ｂは、本発明の第１実施形態によって同じウォッブル形態と同じアドレスで表現される第１領域と第２領域のアドレス構造の一例を表す。図４Ａを参照するに、第１領域のＡＤＩＰアドレスは、シンクパートとアドレスパートとからなっており、図４Ｂを参照するに、第２領域のＡＤＩＰアドレスは、第１領域で使用するシンクパートを複数個反復して使用することによって、第１領域と第２領域とを区分する。
【００４５】
第２領域のアドレスとして第１領域で使われるシンクビットの順序を変化させる場合
図５Ａ及び図５Ｂは、本発明の第１実施形態によって同じウォッブル形態と同じアドレスで表現される第１領域及び第２領域のアドレス構造の一例を表す。図５Ａを参照するに、第１領域のＡＤＩＰアドレスのシンクパートで各シンクブロックはモノトーンビット及びシンクビットからなっている。すなわち、シンクブロック“０”は、モノトーンビット及びシンクビット“０”で構成され、シンクブロック“１”は、モノトーンビット及びシンクビット“１”で構成され、シンクブロック“２”は、モノトーンビット及びシンクビット“２”で構成され、シンクブロック“３”は、モノトーンビット及びシンクビット“３”で構成される。第１領域では、このようなシンクブロックの順序がシンクブロック“０”、シンクブロック“１”、シンクブロック“２”、シンクブロック“３”の順序になっている。しかし、当業者ならば、このような４種のシンクブロックに限定されないということが理解できるであろう。
【００４６】
図５Ｂを参照するに、第２領域のＡＤＩＰアドレスのシンクパートでは、モノトーンビットとシンクビットとからなるシンクブロックの順序がシンクブロック“３”、シンクブロック“２”、シンクブロック“３”、シンクブロック“０”の順序になっている。このようにシンクブロックの順序を変化させることによって、第１領域と第２領域とのアドレスを区分しうる。
【００４７】
第１領域で使われるシンクビットの組合わせを変化させて表現する場合
図６Ａ及び図６Ｂは、本発明の第１実施形態によって同じウォッブル形態と同じアドレスで表現される第１領域と第２領域とのアドレス構造の一例を示す。図６Ａを参照するに、第１領域のＡＤＩＰアドレスのシンクパートは、シンクブロック“０”、シンクブロック“１”、シンクブロック“２”、シンクブロック“３”の４個のシンクブロックで構成される。シンクブロック“０”は、モノトーンビット及びシンクビット“０”で構成され、シンクブロック“１”は、モノトーンビット及びシンクビット“１”で構成され、シンクブロック“２”は、モノトーンビット及びシンクビット“２”で構成され、シンクブロック“３”は、モノトーンビット及びシンクビット“３”で構成される。しかし、当業者ならば、本発明がこのような４個のシンクブロックに限定されないということを理解できるであろう。
【００４８】
図６Ｂを参照するに、第２領域のＡＤＩＰアドレスのシンクパートは、第１領域で使われる４個のシンクブロック及びシンクブロック“５”を含む５個のシンクブロックで構成される。このように第２領域でモノトーンビット及びシンクビットの組合わせであるシンクブロックを第１領域で使用するシンクブロックの数より多く使用することによって、第１領域と第２領域とを区別しうる。
【００４９】
第２領域のアドレスとして第１領域で使われていない特定パターンを挿入して表現する場合
図７Ａ及び図７Ｂは、本発明の第１実施形態によって同じウォッブル形態及び同じアドレスで表現される第１領域及び第２領域のアドレス構造の一例を表す。図７Ａを参照するに、第１領域のＡＤＩＰアドレスは、シンクパートとデータパートとからなっている。第１領域のＡＤＩＰアドレスのシンクパートは、４個のシンクブロック“０”、“１”、“２”、“３”よりなる。シンク“０”は、モノトーンビット及びシンクビット“０”で形成される。シンク“１”は、モノトーンビット及びシンクビット“１”で形成される。シンクブロック“２”は、モノトーンビット及びシンクビット“２”で形成される。シンクブロック“３”は、モノトーンビット及びシンクビット“３”で形成される。
【００５０】
図７Ｂを参照するに、第２領域のＡＤＩＰアドレスは、第１領域のアドレスと区別させるためにシンクパートの前に特定パターンが挿入されていることが分かる。このような特定パターンとして、第１領域で使われるモノトーンビット、シンクビットまたはＡＤＩＰビットと区別されるパターンを使用することによって、第１領域と第２領域とを区別する識別子として使用しうる。このような識別子は、シンクパートの前または後に挿入されうる。
【００５１】
第２領域のアドレスの特定位置に特定の値を表すデータビットを挿入するか、第１領域で使用するあるパターン及びデータビットで、第１領域で使われていない特定組合わせを生成して表現する場合
図８Ａ及び図８Ｂは、本発明の第１実施形態によって同じウォッブル形態と同じアドレスで表現される第１領域と第２領域とのアドレス構造の一例を表す。
【００５２】
さらに他の方法で、第１領域で使用するモノトーンビットとシンクビット及びデータを表現するＡＤＩＰビットを用いて第１領域で使われていない新たなパート、例えば、識別子パートを形成して第２領域のアドレスであることを識別しうる。例えば、識別子パートは、シンクパートとデータパートとの間にモノトーンビットとデータとを表現するＡＤＩＰビットを組合わせ、生成して挿入することによって、第１領域と区別される第２領域の識別子として使用しうる。識別子パートの具体例として、シンクパートと類似しているか、データパートとは区別されるようにモノトーンビット１とＡＤＩＰビット１とを４回使用して識別子として用いる。
【００５３】
図８Ａを参照するに、第１領域のＡＤＩＰアドレスは、シンクパートとデータパートからなっており、図８Ｂを参照するに、第２領域のＡＤＩＰアドレスは、シンクパートとデータパートとの間に識別子パートが挿入されている。このように、モノトーンビット１及びＡＤＩＰビット４からなる識別子パートが第１領域のアドレスと第２領域のアドレスとを区分しうる。
【００５４】
第２領域のアドレスとしてデータパートで第１領域で使用していない識別子を使用することによって、第１領域と第２領域とを区別する場合
図９Ａ及び図９Ｂは本発明の第１実施形態によって同じウォッブル形態と同じアドレスとで表現される第１領域と第２領域とのアドレス構造の一例を示す。図９Ａを参照するに、第１領域のＡＤＩＰアドレスは、シンクパートとデータパートとからなっており、データパートはアドレスパートと予約パートとパリティパートとからなっている。
【００５５】
図９Ｂを参照するに、第２領域のＡＤＩＰアドレスは、シンクパートとデータパートとからなっており、データパートは、アドレスパートとパリティパートとからなっている。このように、第１領域でＡＤＩＰアドレスを表現するビットに予約ビット（リザーブビット）が含まれた場合、第２領域ではこの予約ビットを除去してＡＤＩＰを表現することによって、シンクの検出間隔を変化させて第２領域の識別子として使用しうる。
【００５６】
第２実施形態
本発明の第２実施形態は、第１領域及び第２領域のアドレスを各々２つの異なるウォッブルで表現する方法である。
【００５７】
既存の記録または再生単位ブロックを使用しうる第１領域と第１領域に使われる記録または再生単位ブロックの大きさより小さな記録または再生単位のブロックが使われる第２領域を区別するために第１領域と第２領域とを２つの異なるウォッブルで表現することによって、２つの異なる記録または再生単位ブロックを区分しうる。すなわち、第１領域と第２領域とで使われる２つの異なるウォッブルはウォッブルの変調方式や基本周波数などを異なって使用するか、またはウォッブルの変調方式と基本周波数とをいずれも異なって使用して区分しうる。具体例は次の通りである。
【００５８】
第１に、第１領域及び第２領域で相異なるウォッブル変調方式を使用するが、第１領域ではＦＳＫ（周波数シフトキーイング）を使用し、第２領域ではＢＰＳＫ（バイナリシフトキーイング）を使用して、２つの記録または再生単位ブロックを区分しうる。
【００５９】
第２に、第１領域及び第２領域のウォッブル変調方式でＦＳＫまたはＢＰＳＫを同一に使用し、第１領域及び第２領域のウォッブル基本周波数を異ならせて２つの記録または再生単位ブロックを区分しうる。例えば、第１領域の単位ブロックサイズが６４Ｋｂｙｔｅｓであり、第２領域の単位ブロックサイズが３２Ｋｂｙｔｅｓである場合、第２領域のウォッブル基本周波数は第１領域のウォッブル基本周波数の２倍を使用し、すなわち、第１領域の基本周波数が１ＭＨｚであれば、第２領域の基本周波数は２ＭＨｚを使用し、２つの記録または再生ブロックを区分しうる。または、第１領域のウォッブル周期がｎサイズのチャンネルクロック周期であれば、第２領域はｍサイズのチャンネルクロック周期を使用して区分しうる。ここで、ｎ、ｍは、任意の整数を示す。
【００６０】
第３に、第１及び第２の方法を組合わせて使用する方法であって、第１領域及び第２領域のウォッブル変調方式で第１領域では、ＦＳＫを使用し、第２領域ではＢＰＳＫ方式を使用しつつ、第１領域及び第２領域の基本ウォッブル周波数を各々ｆ０及びｆ１に異ならせて２つの異なる領域を区分しうる。
【００６１】
第３実施形態
本発明の第３実施形態は、第１領域及び第２領域のアドレスを各々２つの異なるアドレスで表現する方法である。
【００６２】
既存の記録または再生単位ブロックを使用しうる第１領域と、第１領域に使われる記録または再生単位ブロックの大きさより小さな記録または再生単位のブロックが使われる第２領域を区別するために、第１領域及び第２領域を２つの異なるアドレスで表現することによって、２つの異なる記録または再生単位ブロックを区分しうる。すなわち、第１領域及び第２領域で使われる２つの異なるアドレスは、ビット数の異なるアドレスを使用して２つの異なる領域を区分しうる。
【００６３】
図１０Ａ及び図１０Ｂは、本発明の第３実施形態によって２つの異なるアドレスとして表現される第１領域及び第２領域のアドレス構造の一例である。図１０Ａを参照するに、第１領域ではデータパートに入っているアドレスパートの大きさをａビットとし、図１０Ｂを参照するに、第２領域ではデータパートに入っているアドレスパートの大きさをｂビットとすることによって、第１領域と第２領域とを簡単に区別しうる。ここで、“ａ”、“ｂ”はいずれも整数値である。
【００６４】
第４実施形態
本発明の第４実施形態は、第１領域及び第２領域のアドレスを各々２つの異なるウォッブルと２つの異なるアドレスで表現する方法である。
【００６５】
既存の記録または再生単位ブロックを使用しうる第１領域と第１領域に使われる記録または再生単位ブロックの大きさより小さな記録または再生単位のブロックを有する第２領域を区別するために、第１領域及び第２領域を２つの異なるウォッブルと２つの異なるアドレスで表現することによって、２つの異なる記録または再生単位ブロックを区分しうる。
【００６６】
すなわち、第１領域と第２領域に異なるウォッブル変調方式及びビット数の異なるアドレスを使用するか、または第１領域及び第２領域に異なるウォッブル変調方式とビット数は同一であるが、アドレスの１つまたは複数の特定ビットに領域を区別する識別子を含むアドレスを使用するか、または第１領域と第２領域に基本周波数の異なるウォッブル方式及びビット数の異なるアドレスを使用するか、または第１領域及び第２領域に基本周波数の異なるウォッブル方式とビット数は同一であるが、アドレスの１つまたは複数の特定ビットに領域を区別する識別子を含むアドレスを使用するか、または第１領域及び第２領域に基本周波数が異なり、変調方式が異なるウォッブルと、ビット数が異なるアドレスを使用するか、または第１領域及び第２領域に基本周波数が異なり、変調方式が異なるウォッブルと、ビット数は同一であるが、アドレスの１つまたは複数の特定ビットに領域を区別する識別子を含むアドレスを使用して区分しうる。具体的な使用例は、次の通りである。
【００６７】
第１領域ではＦＳＫ方式とａビットサイズのアドレスを使用し、第２領域ではＢＰＳＫ方式とｂビットサイズのアドレスとを使用して、２つの記録または再生単位ブロックを区分しうる。
【００６８】
ウォッブル変調方式として第１領域ではＦＳＫを、第２領域ではＢＰＳＫを使用し、第１領域と第２領域いずれもａビットサイズのアドレスを使用して最上位ビットの値を‘０’と‘１’とに区分して領域を判別する識別子として使用して２つの記録または再生単位ブロックを区分しうる。
【００６９】
他の方法で第１領域と第２領域とのウォッブル変調方式でＦＳＫまたはＢＰＳＫを同一に使用し、第１領域ではｆ０の基本ウォッブル周波数とａビットサイズのアドレスを使用し、第２領域ではｆ１の基本ウォッブル周波数とｂビットサイズのアドレスを使用して２つの記録または再生単位ブロックを区分しうる。
【００７０】
さらに他の方法で、第１領域及び第２領域のウォッブル変調方式でＦＳＫまたはＢＰＳＫを同一に使用し、第１領域ではｆ０の基本ウォッブル周波数を使用し、第２領域ではｆ１の基本ウォッブル周波数を使用し、第１領域及び第２領域いずれもａビットサイズのアドレスを使用しつつ、最上位ビットの値を‘０’と‘１’とに区分して領域を判別する識別子として使用して、２つの記録または再生単位ブロックを区分しうる。
【００７１】
さらに他の方法で、第１領域は基本ウォッブル周波数がｆ０であるＦＳＫ方式とａビットサイズのアドレスを使用し、第２領域は基本ウォッブル周波数がｆ１であるＢＰＳＫ方式とｂビットサイズのアドレスを使用して２つの記録または再生単位ブロックを区分しうる。
【００７２】
さらに他の方法で、第１領域は基本ウォッブル周波数がｆ０であるＦＳＫ方式を使用し、第２領域は基本ウォッブル周波数がｆ１であるＢＰＳＫ方式を使用しつつ、第１領域と第２領域いずれもａビットサイズのアドレスを使用しつつ、最上位ビットの値を‘０’と‘１’とに区分して領域を判別する識別子として使用して２つの記録または再生単位ブロックを区分しうる。
【００７３】
図１１は、本発明によるディスクを製造する成形装置の概略的なブロック図である。図１１を参照するに、ディスク成形装置は、制御部１０と、アドレス発生部２０と、信号処理部３０と、レーザー４０と、変調部５０と、カットヘッド６０と、基板回転／移送部８０とを備える。
【００７４】
ディスク成形過程は、研磨したガラス基板にフォトレジストを塗布し、この感光膜にレーザービームによる露光によりピットやグルーブを形成するカットを行なう。特に、本発明による成形過程はディスクの記録可能領域のうち、内周側に位置した第１領域には第１アドレスに基づいたウォッブルによるグルーブのカットが行なわれ、外周側に位置する第２領域には、第２アドレスに基づいたウォッブルによるグルーブのカットが行なわれる。
【００７５】
アドレス発生部２０は、絶対アドレスとしての値を順次に発生させる。
【００７６】
カット部は、フォトレジストされたガラス基板７０にレーザービームを照射してカットを行なう光学部４０、５０、６０と、ガラス基板７０を回転駆動及びスライド移送する基板回転／移送部８０と、入力データを記録データに変換して光学部に供給する信号処理部３０とを備える。
【００７７】
変調部５０は、レーザー光源４０からの出射光を記録データに基づいて変調し、カットヘッド部６０は変調部５０からの変調ビームを集光してガラス基板７０のフォトレジスト面に照射する。
【００７８】
基板回転／移送部８０は、ガラス基板７０を回転駆動し、その半径方向にスライドさせ、カットヘッド部６０のトラッキングなどを制御するサーボの役割を果たす。
【００７９】
信号処理部３０は、アドレス発生部２０から供給されるアドレス情報に基づいてエラー訂正符号などを付加して入力データをフォーマットするか、フォーマットされたデータに所定の演算処理をして変調信号を形成する。
【００８０】
カット時に基板回転／移送部８０がガラス基板７０を一定の線速度で回動させてガラス基板を回転させた状態で、所定のトラックピッチで螺旋状のトラックが形成されるようにスライドさせる。そして、レーザー光源４０からの出射光は変調部５０を通じて信号処理部３０からの変調信号に基づく変調ビームになってカットヘッド部６０からガラス基板７０のフォトレジスト面に照射され、その結果、フォトレジストがデータやグルーブに基づいて感光される。
【００８１】
制御部１０は、このようなカット部９０のカット時の動作を制御し、基板回転／移送部８０のカット位置によってアドレス発生部２０を制御する。特に、制御部１０は、本発明によって基板回転／移送部８０のカット位置がディスクの内周に位置した第１領域であると判断された場合、制御部１０は、第１アドレスに基づいてカットされるようにアドレス発生部２０とカット部９０とを制御する。そして、制御部１０は、このようなカット動作が第１領域の終わり部分まで進行し、カット位置が第２領域であると判断された場合に、第２アドレスに基づいてカットされるようにアドレス発生部２０とカット部９０とを制御する。
【００８２】
図１２は、本発明の第２実施形態によって図１１に示された変調部の具体的なブロック図である。図１２を参照するに、信号処理部３０は、領域判断部３１を含備え、変調部５０は第１変調部５１と、第２変調部５２とを備える。
【００８３】
本発明の第２実施形態によって制御部１０は、ディスクの第１領域についてのアドレスである場合には、第１変調方式により変調してアドレスを記録するように制御し、ディスクの第２領域についてのアドレスである場合には、第２変調方式により変調してアドレスを記録するように制御する。
【００８４】
制御部１０は、現在カットしようとするアドレスが第１領域に関するものか、第２領域に関するものかを決定し、第１領域に関するものであれば、第１変調部５１が活性化されるように制御し、第２領域に関するものであれば、第２変調部５２が活性化されるように制御する。
【００８５】
第１変調部５１が活性化されれば、信号処理部３０からアドレス情報を受信して第１変調方式によって変調を行い、第２変調部５２が活性化されれば、信号処理部３０からアドレス情報を受信して第２変調方式によって変調を行い、変調されたデータをカットヘッド６０に伝送する。ここで、第１変調方式と第２変調方式は、前述した第２実施形態で説明したような多様な方法で区別しうる。
【００８６】
図１３は、本発明の第１実施形態及び第３実施形態によって図１１に示された信号処理部の具体的なブロック図である。
【００８７】
本発明の第１実施形態または第３実施形態によって制御部１０は、ディスクの第１領域に関するアドレスである場合には、第１アドレスを生成するように制御し、ディスクの第２領域に関するアドレスである場合には、第２アドレスを生成するように制御する。
【００８８】
制御部１０は、現在カットしようとするアドレスが第１領域に関するものか、第２領域に関するものかを決定し、第１領域に関するものであれば、第１アドレス生成部３１が活性化されるように制御し、第２領域に関するものであれば、第２アドレス生成部３２が活性化されるように制御する。
【００８９】
第１アドレス生成部３１が活性化されるアドレス発生部２０からアドレスデータを受信して第１アドレスを生成し、第２アドレス生成部３２が活性化されれば、アドレス発生部２０からアドレスデータを受信して第２アドレスを生成した後、生成されたアドレス情報を信号処理部３０に出力する。ここで、第１アドレスと第２アドレスは、前述した第１実施形態または第３実施形態で説明したような多様な方法で区別しうる。
【００９０】
図１４は、本発明によるディスクドライブ装置の概略的なブロック図である。図１４を参照するに、ディスクドライブ装置は、ピックアップ１００と、レーザー駆動部１１０と、マトリックス回路１２０と、サーボ１３０と、システム制御部１４０と、信号処理部２００を備える。
【００９１】
ピックアップ１００は、ディスク上の記録可能領域でのグルーブトラックのウォッブリングとして埋込まれたＡＤＩＰ情報を判読する。記録時にはピックアップにより記録可能領域でのトラックにユーザデータがフェーズチェンジマークとして記録され、再生時には、ピックアップにより記録されたフェーズチェンジマークの判読が行なわれる。
【００９２】
ピックアップのレーザーダイオードはレーザー駆動部１１０からのドライブ信号によりレーザー発光駆動される。
【００９３】
ディスクから反射光情報は、光検出器により検出され、受光量による電気信号になってマトリックス回路１２０に供給される。
【００９４】
マトリックス回路は、光検出器からの出力電流を受信して再生データに相当する高周波信号、サーボ制御のための信号及びグルーブのウォッブリングに係る信号を生成する。
【００９５】
マトリックス回路から出力される再生データ信号は、記録／再生部２１０に、サーボ制御信号はサーボ１３０に、ウォッブリングに係る信号はウォッブル信号処理部２４０に供給される。
【００９６】
記録／再生部２１０は、再生データ信号を２値化処理し、ＰＬＬによる再生クロック生成処理などを行なってページチェンジマークとして判読されたデータを再生して変調部２２０に供給する。
【００９７】
変／復調部２２０は、再生時のデコーダ機能と記録時のエンコーダ機能とを果たす。
【００９８】
再生時には、デコード処理として再生クロックに基づいてＲＬＬコードの復調処理を行なう。
【００９９】
ＥＣＣエンコーダ／デコーダ２３０は、記録時にエラー訂正コードを付加するＥＣＣエンコード処理、及び再生時にエラー訂正を行なうＥＣＣデコード処理を行なう。ＥＣＣエンコーダ／デコーダ２３０で再生データとしてデコードされたデータは、システム制御部１４０の指示に基づいて判読されてＡＶシステムに伝送される。
【０１００】
マトリックス回路１２０から出力されるグルーブのウォッブリングに係る信号であるプッシュプル信号はウォッブル信号処理部２４０で処理される。ＡＤＩＰ情報としてのプッシュプル信号は、ウォッブル信号処理部２４０で復調され、ＡＤＩＰアドレスを構成するデータストリームに復調されてアドレス検出部２５０に供給される。
【０１０１】
アドレス検出部２５０は、供給されるデータに対するデコードを行ない、アドレス値を得てシステム制御部１４０及び記録／再生部２１０に供給する。
【０１０２】
特に、本発明によってシステム制御部１４０は、記録及び／または再生するデータがディスクの第１領域に関するアドレスであれば、第１アドレスとして処理されるようにウォッブル信号処理部２４０またはアドレス検出部２５０を制御し、記録及び／または再生するデータがディスクの第２領域に関するアドレスであれば、第２アドレスとして処理されるようにウォッブル信号処理部２４０またはアドレス検出部２５０を制御する。
【０１０３】
図１５は、本発明の第２実施形態によって図１４に図示されたウォッブル信号処理部の具体的なブロック図である。
【０１０４】
図１２を参照するに、ウォッブル信号処理部２４０は、第１復調部２４１と、第２復調部２４２とを備える。
【０１０５】
本発明の第２実施形態によってシステム制御部１４０は、ディスクの第１領域に関するアドレスである場合には、第１復調方式により復調してアドレスを検出するように制御し、ディスクの第２領域に関するアドレスである場合には、第２復調方式により復調してアドレスを検出するように制御する。
【０１０６】
システム制御部１４０は、現在記録及び／または再生しようとするアドレスが第１領域に関するものか、第２領域に関するものかを決定し、第１領域に関すものであれば、第１復調部２４１が活性化されるように制御し、第２領域に関するものであれば、第２復調部２４２が活性化されるように制御する。
【０１０７】
第１復調部２４１が活性化されれば、マトリックス回路１２０から受信されたウォッブリンググルーブに係る信号を第１復調方式によって復調を行い、第２復調部２４２が活性化されれば、マトリックス回路１２０から受信されたウォッブリンググルーブに係る信号を第２復調方式によって復調を行い、復調されたデータをアドレス検出部２５０に伝送する。ここで、第１復調方式と第２復調方式は、前述した第２実施形態で説明したような多様な方法で区別しうる。
【０１０８】
図１６は、本発明の第１実施形態及び第３実施形態によって図１４に示されたアドレス検出部の具体的なブロック図である。
【０１０９】
本発明の第１実施形態または第３実施形態によってシステム制御部１４０は、ディスクの第１領域に関するアドレスである場合には、第１アドレスを検出するように制御し、ディスクの第２領域に関するアドレスである場合には、第２アドレスを検出するように制御する。
【０１１０】
システム制御部１４０は、現在記録及び／または再生しようとするアドレスが第１領域に関するものか、第２領域に関するものかを決定し、第１領域に関するものであれば、第１アドレス検出部２５１が活性化されるように制御し、第２領域に関するものであれば、第２アドレス検出部２５２が活性化されるように制御する。
【０１１１】
第１アドレス検出部２５１が活性化されれば、ウォッブル信号処理部２４０から受信されたアドレスから第１アドレスを検出し、第２アドレス検出部２５２が活性化されれば、ウォッブル信号処理部２４０から第２アドレスを検出し、検出されたアドレス情報をシステム制御部１４０及び記録／再生部に出力する。ここで、第１アドレスと第２アドレスは、前述した第１実施形態または第３実施形態で説明したような多様な方法で区別しうる。
【０１１２】
本発明はまたコンピュータで読取り可能な記録媒体にコンピュータで読取り可能なコードとして具現することができる。コンピュータで読取り可能な記録媒体はコンピュータシステムによって読取り可能なデータが保存されるあらゆる種類の記録装置を含む。コンピュータが読取り可能な記録媒体の例としては、ＲＯＭ、ＲＡＭ、ＣＤ−ＲＯＭ、磁気テープ、フロッピー（登録商標）ディスク、光データ保存装置などがあり、またキャリアウェーブ（例えば、インターネットを通じた伝送）の形で具現されることも含む。また、コンピュータで読取り可能な記録媒体は、ネットワークで連結されたコンピュータシステムに分散されて、分散方式でコンピュータで読取り可能なコードが保存されて実行されうる。
【０１１３】
以上、本発明についてその望ましい実施形態を中心に説明した。本発明が属する技術分野で通常の知識を有する者は、本発明が本発明の本質的な特性から外れない範囲で変形された形態に具現されるということを理解できるであろう。したがって、開示された実施形態は、限定的な観点ではなく、説明的な観点で考慮されねばならない。本発明の範囲は、前述した説明ではなく、特許請求の範囲に現れており、それと同等な範囲内にあるあらゆる差異点は本発明に含まれたと解釈されねばならない。
【図面の簡単な説明】
【０１１４】
【図１】従来の技術によって記録及び／または再生単位ブロックまたはＥＣＣブロックの長さが１つの円周を超える時、重畳領域で発生したスクラッチを示す図である。
【図２Ａ】従来の技術によってウォッブリンググルーブとして記録されるＡＤＩＰアドレスの構造を説明するための図である。
【図２Ｂ】従来の技術によってウォッブリンググルーブとして記録されるＡＤＩＰアドレスの構造を説明するための図である。
【図２Ｃ】従来の技術によってウォッブリンググルーブとして記録されるＡＤＩＰアドレスの構造を説明するための図である。
【図２Ｄ】従来の技術によってウォッブリンググルーブとして記録されるＡＤＩＰアドレスの構造を説明するための図である。
【図３】本発明が適用される小型記録媒体の構造図である。
【図４Ａ】本発明の第１実施形態によって同じウォッブル形態及び同じアドレスで表現される第１領域と第２領域のアドレス構造の一例である。
【図４Ｂ】本発明の第１実施形態によって同じウォッブル形態及び同じアドレスで表現される第１領域と第２領域のアドレス構造の一例である。
【図５Ａ】本発明の第１実施形態によって同じウォッブル形態及び同じアドレスで表現される第１領域及び第２領域のアドレス構造の一例である。
【図５Ｂ】本発明の第１実施形態によって同じウォッブル形態及び同じアドレスで表現される第１領域及び第２領域のアドレス構造の一例である。
【図６Ａ】本発明の第１実施形態によって同じウォッブル形態及び同じアドレスで表現される第１領域及び第２領域のアドレス構造の一例である。
【図６Ｂ】本発明の第１実施形態によって同じウォッブル形態及び同じアドレスで表現される第１領域及び第２領域のアドレス構造の一例である。
【図７Ａ】本発明の第１実施形態によって同じウォッブル形態及び同じアドレスで表現される第１領域及び第２領域のアドレス構造の一例である。
【図７Ｂ】本発明の第１実施形態によって同じウォッブル形態及び同じアドレスで表現される第１領域及び第２領域のアドレス構造の一例である。
【図８Ａ】本発明の第１実施形態によって同じウォッブル形態及び同じアドレスで表現される第１領域及び第２領域のアドレス構造の一例である。
【図８Ｂ】本発明の第１実施形態によって同じウォッブル形態及び同じアドレスで表現される第１領域及び第２領域のアドレス構造の一例である。
【図９Ａ】本発明の第１実施形態によって同じウォッブル形態及び同じアドレスで表現される第１領域及び第２領域のアドレス構造の一例である。
【図９Ｂ】本発明の第１実施形態によって同じウォッブル形態及び同じアドレスで表現される第１領域及び第２領域のアドレス構造の一例である。
【図１０Ａ】本発明の第３実施形態によって２つの異なるアドレスで表現される第１領域及び第２領域のアドレス構造の一例である。
【図１０Ｂ】本発明の第３実施形態によって２つの異なるアドレスで表現される第１領域及び第２領域のアドレス構造の一例である。
【図１１】本発明によるディスクを製造する成形装置の概略的なブロック図である。
【図１２】本発明の第２実施形態によって図１１に示された信号処理部及び変調部の具体的なブロック図である。
【図１３】本発明の第１実施形態及び第３実施形態によって図１１に示された信号処理部及び変調部の具体的なブロック図である。
【図１４】本発明によるディスクドライブ装置の概略的なブロック図である。
【図１５】本発明の第２実施形態によって図１４に示されたウォッブル信号処理部の具体的なブロック図である。
【図１６】本発明の第１実施形態及び第３実施形態によって図１４に図示されたウォッブル信号処理部の具体的なブロック図である。
【図１】
2007527590.tif 000004
【図２Ａ】
2007527590.tif 000005
【図２Ｂ】
2007527590.tif 000006
【図２Ｃ】
2007527590.tif 000007
【図２Ｄ】
2007527590.tif 000008
【図３】
2007527590.tif 000009
【図４Ａ】
2007527590.tif 000010
【図４Ｂ】
2007527590.tif 000011
【図５Ａ】
2007527590.tif 000012
【図５Ｂ】
2007527590.tif 000013
【図６Ａ】
2007527590.tif 000014
【図６Ｂ】
2007527590.tif 000015
【図７Ａ】
2007527590.tif 000016
【図７Ｂ】
2007527590.tif 000017
【図８Ａ】
2007527590.tif 000018
【図８Ｂ】
2007527590.tif 000019
【図９Ａ】
2007527590.tif 000020
【図９Ｂ】
2007527590.tif 000021
【図１０Ａ】
2007527590.tif 000022
【図１０Ｂ】
2007527590.tif 000023
【図１１】
2007527590.tif 000024
【図１２】
2007527590.tif 000025
【図１３】
2007527590.tif 000026
【図１４】
2007527590.tif 000027
【図１５】
2007527590.tif 000028
【図１６】
2007527590.tif 000029
【手続補正書】
【提出日】平成18年1月27日(2006.1.27)
【手続補正１】
【補正対象書類名】明細書
【補正対象項目名】全文
【補正方法】変更
【補正の内容】
【発明の詳細な説明】
【技術分野】
【０００１】
本発明は、情報記録媒体に係り、さらに詳細には、記録及び／または再生装置／方法、ディスク成形装置／方法及び情報記録媒体に関する。
【背景技術】
【０００２】
現在ＤＶＤのＣＢＬ（チャンネルビット長）は、０．１３３ｕｍである。ＤＶＤに保存されるデータが次第に高密度化されて行く趨勢につれて、ＤＶＤトラックの広さとＣＢＬは縮まりつつある。しかし、ＣＢＬが減少すれば、エラー訂正能力が低下するので、記録または再生単位ブロックの大きさを、例えば、３２Ｋｂｙｔｅｓから６４Ｋｂｙｔｅｓに増加させ、ＣＢＬの減少によるエラー訂正能力の低下を補完しうる。このように記録または再生単位ブロックの大きさを増加させてエラー訂正能力の低下を補完することは、８０ｍｍ、１２０ｍｍディスクでは望ましい方法である。しかし、記録媒体が益々小型化されるにつれて、データが記録される開始点の開始半径が小さくなり、これにより、データ記録地点の円周が記録または再生単位ブロック長より短い領域が存在するようになる。
【０００３】
図１は、従来の技術によって記録及び／または再生単位ブロック、またはＥＣＣブロックの長さが１つの円周を超える時、重畳領域で発生したスクラッチを示す。図１に示されたように記録される領域の円周が記録または再生単位ブロック長より短い場合には、１つのブロックが１つの円周より大きくなるので、重畳領域が生じ、もし、このような重畳領域にスクラッチが発生する場合には、エラー訂正能力を大幅に低下させてデータの信頼性に問題を引き起こしうる。
【０００４】
以下、さらに詳細に説明する。
【０００５】
ディスク型記録可能な情報記録媒体においてデータは、情報記録媒体のトラックに沿って内周から外周に、または外周から内周に記録される。もし、１つの記録または再生単位ブロック、または１つのエラー訂正コードブロック（ＥＣＣブロック）の長さが情報記録媒体の半径（または直径）による円周を超える場合には、１つの記録または再生単位ブロックまたは１つのＥＣＣブロック内で半径方向に重畳部分が存在する。そして、ホコリやスクラッチまたは指紋によるエラーは、一般的に隣接した複数のトラックに亙って影響を及ぼす。これにより、重畳部分でホコリやスクラッチまたは指紋によるエラーの影響は１つのＥＣＣブロック内で倍加されてデータの信頼性を顕著に低下させる。
【０００６】
図１は、重畳領域で発生したスクラッチを示す図である。例えば、図１を参照して分かるように、重畳領域からトラック方向に１ｍｍ長さのスクラッチが発生した時Ｌ、実質的に１つのＥＣＣブロックに及ぼす影響は、２ｍｍ長さのスクラッチが発生したことと同一になってデータの信頼性を顕著に低下させる。
【０００７】
ＤＶＤのＲＳＰＣ（リードソロモンプロダクトコード）の場合、４１６シンクフレームで構成されてユーザデータ３２Ｋｂｙｔｅｓを含んでいるが、１つのシンクフレームは１４８８チャンネルビットを有する。これは、ＤＶＤスペックを参照すれば、詳細に分かる。１つのチャンネルビットの長さが０．１３３ｕｍであるために、１つの記録または再生ブロックが占めるトラック方向の長さは４１６＊１４８８＊０．１３３ｕｍ＝８２，３２８．０６４ｕｍである。８２，３２８．０６４／３．１４＝約２６，２１９．１２９ｕｍであるために、半径約１３．１ｍｍ以前には円周が記録または再生単位ブロック長より短い。１つのシンクフレームが占める長さ＝１４８８＊０．１３３ｕｍ＝１９７．９０４ｕｍであり、よって１．６ｍｍのスクラッチは、約８シンクフレームに連続して影響を及ぼす。この場合、縦方向のリードソロモン（ＲＳ）（２０８、１９２、１７）コードに対しては、４Ｂｙｔｅのエラーを誘発させる（ケース１）。そして、重畳部分にスクラッチが発生した場合は、縦方向のＲＳ（２０８、１９２、１７）コードに２倍である８バイトのエラーを誘発させる（ケース２）。
【０００８】
スクラッチが発生した部分に対してイレーズコレクションを行うと家庭し、バイトエラー率が１０−３である時、縦方向のＲＳ（２０８、１９２、１７）コードのエラー訂正能力は次の式（１）によって計算される。
【０００９】
【数１】
2007527590.tif 000030
ここで、ＣＥＲは、コードワードエラー率を意味し、ｅは、イレーズ数を、ｐは、バイトエラー率を意味する。
【００１０】
式（１）を用いてケース１に対してＣＥＲを計算すれば、ｐ＝０．００１であり、ｅ＝４であるために、ＣＥＲ≒２．２ｘ１０−９となる。そして、ケース２に対してＣＥＲを計算すれば、ｐ＝０．００１であり、ｅ＝８であるために、ＣＥＲ≒２．２ｘ１０−６となる。
【００１１】
ケース２において、小さなホコリのようなランダムエラーにより重畳部分でエラーが重複発生する場合は、考慮していない。もちろん、そのような場合まで考慮するならば、結果はさらに悪化される。このように重畳領域でのスクラッチに対する影響はデータの信頼性に致命的である。もちろん、ＲＳＰＣは、複数の訂正が可能な構造である。しかし、コードのエラー訂正能力の低下を無視してはならない。ＤＶＤ環境でＲＳＰＣの最大エラー訂正長さは、約６ｍｍ程度である。しかし、円周より長い領域に記録または再生単位データを保存する場合、例えば、半径７ｍｍにデータを記録した場合、ほぼ２トラックに亙って１つのＲＳＰＣブロックが存在するために最大エラー訂正長さは３ｍｍに減少する。
【００１２】
以下、情報記録媒体に生成されるアドレスデータの一例を説明する。
【００１３】
図２Ａないし図２Ｄは、従来の技術によってウォッブルグルーブとして記録されるＡＤＩＰアドレスの構造を説明する。
【００１４】
図２Ａは、ウォッブルグルーブとして記録されるＡＤＩＰアドレスの使用についての一実施形態であって、ＡＤＩＰ−ＲＵＢデータフレームを示す図面である。
【００１５】
１つの記録単位ブロック（Ｒｅｃｏｒｄｉｎｇ  Ｕｎｉｔ  Ｂｌｏｃｋ：  ＲＵＢ）、すなわち、記録クラスターは４９８フレームであり、データのＥＣＣブロックとして４９６フレームにリンキングのためのランイン、ランアウトを付加した４９８フレームが記録単位となる。図２Ａに示されたように１つのＲＵＢに相当する区間でＡＤＩＰとしては３個のアドレスブロックが含まれる。１つのアドレスブロックは８３ビットで形成される。８３ビットのアドレスブロックは、８ビットのシンクパート（同期信号パート）と７５ビットのデータパートよりなる。
【００１６】
シンクパートの８ビットではモノトーンビット（１ビット）とシンクビット（１ビット）によるシンクブロックが４単位形成される。データパートの７５ビットでは、モノトーンビット（１ビット）とＡＤＩＰビット（４ビット）によるＡＤＩＰブロックが１５単位形成される。
【００１７】
図２Ｂは、図２Ａのアドレスブロック（ＡＤＩＰ）のシンクパートの詳細フレーム構造を示す図である。
【００１８】
８ビットのシンクパートは、４個のシンクブロックで形成される。各シンクブロックは、２ビットである。
【００１９】
シンクブロック“０”は、モノトーンビットとシンク“０”ビットとで形成される。シンクブロック“１”は、モノトーンビット及びシンク“１”で構成される。シンクブロック“２”は、モノトーンビット及びシンク“２”で構成される。シンクブロック“３”は、モノトーンビット及びシンク“３”で構成される。
【００２０】
図２Ｃは、図２Ａのアドレスブロック（ＡＤＩＰ）のデータパートの詳細フレーム構造を示す図である。
【００２１】
データパートは、１５個のＡＤＩＰブロックで形成される。各ＡＤＩＰブロックは、５ビットである。５ビットの各ＡＤＩＰブロックは、モノトーンビット１ビット及びＡＤＩＰビット４ビットで構成される。
【００２２】
図２Ｃを参照するに、７５ビットのデータパートのうち、モノトーンビット１５ビットを除外すれば、アドレス情報は６０ビットとなる。このような６０ビットのアドレス情報の構成が図２Ｄに示されている。
【００２３】
図２Ｄを参照するに、６０ビットのアドレス情報は、アドレスパート、予約パート及びパリティパートで構成される。
【００２４】
このように記録または再生単位ブロックが記録される領域の円周が記録または再生単位ブロック長より短い場合には、重畳領域が生じてエラー訂正能力を相当部分低下させて、データの信頼性に問題を引き起こす恐れがある。
【００２５】
このように記録または再生単位ブロックが記録される領域の円周が記録または再生単位ブロック長より短い場合には、重畳領域が生じてエラー訂正能力を相当部分低下させて、データの信頼性に問題を引き起こしうる。
【発明の開示】
【発明が解決しようとする課題】
【００２６】
本発明は、前記問題点を解決して情報記録媒体の記録可能領域に相異なる記録及び／または再生単位ブロックを使用する領域を備え、その領域に適したアドレスを使用可能にする記録及び／または再生装置、ディスク成形装置、記録及び／または再生方法、ディスク成形方法及びその情報記録媒体を提供することを目的とする。
【課題を解決するための手段】
【００２７】
前記課題を解決するための本発明の一特徴は、記録及び／または再生装置において、情報記録媒体のデータ記録可能領域に設けられた第１領域及び前記データ記録可能領域に設けられて前記第１領域に使われる記録及び／または再生単位ブロックの大きさと異なる大きさの記録及び／または再生単位ブロックを使用する第２領域を区別するための第１アドレス及び第２アドレスの信号処理を行って、前記情報記録媒体に／からデータを記録／再生する信号処理部と、前記情報記録媒体の第１領域には第１アドレスを使用し、第２領域には第２アドレスを使用して、データを記録及び／または再生するように前記信号処理部を制御する制御部とを備えることである。
【００２８】
前記信号処理部は、前記第１アドレスを第１ウォッブル処理方法により処理する第１ウォッブル処理部と、前記第２アドレスを第２ウォッブル処理方法により処理する第２ウォッブル処理部とを有するウォッブル信号処理部を備え、前記制御部は、データを前記第１領域に記録及び／または再生する場合には、前記データに関する第１アドレスを前記第１ウォッブル処理部により処理されるように制御し、データを前記第２領域に記録及び／または再生する場合には、前記データに関する第２アドレスを前記第２ウォッブル処理部により処理されるように制御することが望ましい。
【００２９】
前記第１ウォッブル処理方法と前記第２ウォッブル処理方法は、相異なるウォッブル変調方式を利用し、前記第１ウォッブル処理方法はＢＰＳＫを利用し、前記第２ウォッブル処理方法はＦＳＫを利用しうる。
【００３０】
前記第１ウォッブル処理方法と前記第２ウォッブル処理方法は、相異なる基本周波数を利用するか、あるいは、相異なるチャンネルクロックのウォッブル周期を利用しうる。
【００３１】
また、前記信号処理部は、前記第１アドレスを検出する第１アドレス検出部と前記第２アドレスを検出する第２アドレス検出部を有するアドレス検出部を備え、前記制御部は、前記データを前記第１領域に記録及び／または再生する場合には、前記データに関する第１アドレスが前記第１アドレス検出部により検出されるように制御し、データを前記第２領域に記録及び／または再生する場合には、前記データに関する第２アドレスが前記第２アドレス検出部により検出されるように制御することが望ましい。
【００３２】
前記第２アドレスは、前記第１アドレスには存在していない識別子を備え得る。
【００３３】
前記第１アドレス及び前記第２アドレスは、各々シンクとアドレスデータとで構成され、前記第２アドレスに含まれる前記識別子は、前記第１アドレスのシンクの反復回数変更、前記第１アドレスのシンクの順序変化、前記第１アドレスのシンク組合わせの変化、特定パターンの使用、特定組合わせの使用のうち、少なくとも１つを用いて設けられることが望ましい。
【００３４】
前記第１アドレス及び前記第２アドレスは、各々シンクとアドレスデータとで構成され、前記第２アドレスに含まれる識別子は、前記第２アドレスのアドレスデータに前記第１アドレスで使われていない識別子を挿入することによって表されうる。
【００３５】
前記第２アドレスを構成するビット数は、前記第１アドレスを構成するビット数と異ならせうる。
【００３６】
前記信号処理部は、前記第１アドレスを第１ウォッブル処理方法により処理する第１ウォッブル処理部と前記第２アドレスを第２ウォッブル処理方法により処理する第２ウォッブル処理部とを有するウォッブル信号処理部と、前記第１ウォッブル処理部により処理された第１アドレスを検出する第１アドレス検出部と前記第２ウォッブル処理部により処理された第２アドレスを検出する第２アドレス検出部とを有するアドレス検出部と、を備え、前記制御部は、データを前記第１領域に記録及び／または再生する場合には、前記データに関する第１アドレスを前記第１ウォッブル処理部により処理され、前記第１アドレス検出部により検出されるように制御し、データを前記第２領域に記録及び／または再生する場合には、前記データに関する第２アドレスを前記第２ウォッブル処理部により処理されて前記第２アドレス検出部により検出されるように制御することが望ましい。
【００３７】
本発明の他の特徴は、ディスク成形装置において、情報記録媒体のデータ記録可能領域に設けられた第１領域及び前記データ記録可能領域に設けられ、前記第１領域に使われる記録及び／または再生単位ブロックと異なる大きさの記録及び／または再生単位ブロックを使用する第２領域を区別可能に、前記情報記録媒体に前記第１アドレス及び第２アドレスが生成されるように制御する制御部と、前記制御部の制御によって前記情報記録媒体に前記第１アドレス及び第２アドレスを生成するカット部を備えうる。
【００３８】
前記カット部は、前記第１アドレスを第１ウォッブル処理方法により処理する第１ウォッブル処理部と前記第２アドレスを第２ウォッブル処理方法により処理する第２ウォッブル処理部とを有する変調部を備え、前記制御部は、アドレス情報を前記第１領域に生成する場合には、前記第１アドレスを前記第１ウォッブル処理部により処理されるように制御し、アドレス情報を前記第２領域に生成する場合には、前記第２アドレスを前記第２ウォッブル処理部により処理されるように制御することが望ましい。
【００３９】
また、前記カット部は、前記第１アドレスを生成する第１アドレス生成部と前記第２アドレスを生成する第２アドレス生成部を有する信号処理部を含み、前記制御部は、前記アドレス情報を前記第１領域に生成する場合には、前記第１アドレスが前記第１アドレス生成部により検出されるように制御し、アドレス情報を前記第２領域に生成する場合には、前記第２アドレスが前記第２アドレス生成部により生成されるように制御することが望ましい。
【００４０】
また、前記カット部は、前記第１アドレスを第１ウォッブル処理方法により処理する第１ウォッブル処理部と前記第２アドレスを第２ウォッブル処理方法により処理する第２ウォッブル処理部を有する変調部及び前記第１ウォッブル処理された情報を第１アドレスフォーマットに合わせて生成する第１アドレス生成部と前記第２ウォッブル処理された情報を第２アドレスフォーマットに合わせて生成する第２アドレス生成部を有する信号処理部と、を備え、前記制御部は、アドレス情報を前記第１領域に生成する場合には、前記第１アドレスを前記第１ウォッブル処理部により処理し、第１アドレス生成部によって生成されるように制御し、アドレス情報を前記第２領域に生成する場合には、前記第２アドレスを前記第２ウォッブル処理部により処理し、第２アドレス生成部により生成されるように制御することが望ましい。
【００４１】
本発明のさらに他の特徴は、記録及び／または再生方法において、情報記録媒体のデータ記録可能領域に設けられた第１領域及び前記データ記録可能領域に設けられ、前記第１領域で使われる記録及び／または再生単位ブロックと異なる大きさの記録及び／または再生単位ブロックを使用する第２領域を区別するための第１アドレス及び第２アドレスの信号処理を行って、前記第１領域及び第２領域に／から各々データを記録／再生する段階を含むことである。
【００４２】
本発明のさらに他の特徴は、ディスク成形方法において、情報記録媒体のデータ記録可能領域に設けられた第１領域及び前記データ記録可能領域に設けられ、前記第１領域に使われる記録及び／または再生単位ブロックと異なる大きさの記録及び／または再生単位ブロックを使用する第２領域を区別可能に前記情報記録媒体に前記第１アドレス及び第２アドレスを生成する段階を含むことである。
【００４３】
本発明のさらに他の特徴は、情報記録媒体において、前記情報記録媒体のデータ記録可能領域に設けられ、第１アドレスが使われる第１領域、及び前記データ記録可能領域に設けられ、前記第１領域で使われる記録及び／または再生単位ブロックと異なる大きさの記録及び／または再生単位ブロックが使われ、前記第１領域の記録及び／または再生単位ブロックと区別するための第２アドレスが使われる第２領域を含むことである。
【００４４】
前記第１アドレスと前記第２アドレスは、相異なるウォッブル変調方式を用いるか、相異なる基本周波数を用いるか、あるいは相異なるチャンネルクロックのウォッブル周期を用いることが望ましい。
【００４５】
前記第２アドレスは、前記第１アドレスには存在していない識別子を含むか、前記第２アドレスを構成するビット数は前記第１アドレスを構成するビット数と異なり得る。
【発明の効果】
【００４６】
本発明によれば、光ディスクのアクセスやその他の情報読出のためにアドレス情報やその他の情報をディスク上にウォッブル形態に成形する時、２つの異なる記録または再生単位ブロックを有する領域に対して相異なるウォッブルでアドレスを生成して、相異なる大きさの記録または再生単位ブロックを区別するか、同じウォッブルに２つのブロックを区分する識別子を含めてアドレスを生成して、相異なる大きさの記録または再生単位ブロックを区別することによって、１つの記録または再生単位ブロックが重なることを防止してエラー訂正効率を高めうる。
【発明を実施するための最良の形態】
【００４７】
以下、添付された図面を参照して本発明による望ましい一実施形態を詳細に説明する。
【００４８】
図３は、本発明が適用される小型記録媒体のディスク構造である。図３を参照するに、ディスクは、記録再生可能領域に２つの領域を含む。第１領域は、ディスクの内周部分に位置し、第２領域は、第１領域が終わる部分からディスクの外周部分まで位置する。
【００４９】
ディスクの内周部分に位置した第１領域では、記録及び／または再生単位ブロックが円周の長さより長くて、１つの記録及び／または再生単位ブロックが重なることを防止するために、重畳領域では重畳されない領域と異なる記録または再生単位ブロックを使用する。言い換えれば、円周より短い記録または再生単位ブロックを使用する。これにより、情報記録媒体の記録可能な領域に２つの異なる記録または再生単位ブロックを使用し、このような２つの異なる記録または再生単位ブロックを使用可能にするために、各領域に適用されるアドレスを使用する。以下では、ウォッブルとアドレスの形態による様々な場合に対してアドレス変調を行う方法を詳細に説明する。
【００５０】
第１実施形態
本発明の第１実施形態は、第１領域と第２領域のアドレスを同じウォッブル形態と同じアドレス大きさで表現する方法である。
【００５１】
既存の記録または再生単位ブロックを使用しうる第１領域と第１領域に使われる記録または再生単位ブロックの大きさより小さい記録または再生単位のブロックを有する第２領域を区別するために同じウォッブルと媒体上にあらかじめ記録される同じアドレスを有するが、２つの記録または再生単位ブロックの物理的な長さを異ならせるために識別子を含めてアドレスを生成することによって、２つの異なる記録または再生単位ブロックを区別しうる。
【００５２】
すなわち、既存のアドレス方式を使用する第１領域と区別される第２領域は、識別子を使用して記録または再生単位ブロックの物理的な長さを変化させてアドレスを表現する。第２領域で使われる識別子は、シンクの反復回数、シンクの順序変化、シンク組合わせの変化、特定パターンの使用、特定組合わせの使用などを通じて相異なる２つの領域を区別する。
【００５３】
大きく、シンクパートに第２領域であることを表す識別子を含めて区分するか、データパートに第２領域であることを表す識別子を含めて区分しうる。
【００５４】
シンクパートに第２領域であることを表す識別子を含めて区分する方法では、第２領域のアドレスとして第１領域で使われるシンクパートを複数個使用するか、第２領域のアドレスとして第１領域で使われるシンクビット（ｓｙｎｃ  ｂｉｔ）の順序を変化させるか、第１領域で使われるシンクビットの組合わせを変化させて表現するか、第２領域のアドレスとして第１領域で使われていない特定パターンを挿入して表現するか、または第２領域のアドレスの特定位置に特定の値を表すデータビットを挿入するか、第１領域で使用するあるパターンとデータビットとして第１領域で使われていない特定組合わせを生成して表現しうる。
【００５５】
データパートに第２領域であることを表す識別子を含めて区分する方法としては、第２領域のアドレスとしてデータパートに、第１領域で使用していない識別子を使用することによって、第１領域と第２領域とを区別しうる。
【００５６】
以下、図４Ａないし図９Ｂを参照して前記説明した各場合の例を説明する。
【００５７】
第２領域のアドレスとして第１領域で使われるシンクパートを複数個使用する場合
図４Ａ及び図４Ｂは、本発明の第１実施形態によって同じウォッブル形態と同じアドレスで表現される第１領域と第２領域のアドレス構造の一例を表す。図４Ａを参照するに、第１領域のＡＤＩＰアドレスは、シンクパートとアドレスパートとからなっており、図４Ｂを参照するに、第２領域のＡＤＩＰアドレスは、第１領域で使用するシンクパートを複数個反復して使用することによって、第１領域と第２領域とを区分する。
【００５８】
第２領域のアドレスとして第１領域で使われるシンクビットの順序を変化させる場合
図５Ａ及び図５Ｂは、本発明の第１実施形態によって同じウォッブル形態と同じアドレスで表現される第１領域及び第２領域のアドレス構造の一例を表す。図５Ａを参照するに、第１領域のＡＤＩＰアドレスのシンクパートで各シンクブロックはモノトーンビット及びシンクビットからなっている。すなわち、シンクブロック“０”は、モノトーンビット及びシンクビット“０”で構成され、シンクブロック“１”は、モノトーンビット及びシンクビット“１”で構成され、シンクブロック“２”は、モノトーンビット及びシンクビット“２”で構成され、シンクブロック“３”は、モノトーンビット及びシンクビット“３”で構成される。第１領域では、このようなシンクブロックの順序がシンクブロック“０”、シンクブロック“１”、シンクブロック“２”、シンクブロック“３”の順序になっている。しかし、当業者ならば、このような４種のシンクブロックに限定されないということが理解できるであろう。
【００５９】
図５Ｂを参照するに、第２領域のＡＤＩＰアドレスのシンクパートでは、モノトーンビットとシンクビットとからなるシンクブロックの順序がシンクブロック“３”、シンクブロック“２”、シンクブロック“３”、シンクブロック“０”の順序になっている。このようにシンクブロックの順序を変化させることによって、第１領域と第２領域とのアドレスを区分しうる。
【００６０】
第１領域で使われるシンクビットの組合わせを変化させて表現する場合
図６Ａ及び図６Ｂは、本発明の第１実施形態によって同じウォッブル形態と同じアドレスで表現される第１領域と第２領域とのアドレス構造の一例を示す。図６Ａを参照するに、第１領域のＡＤＩＰアドレスのシンクパートは、シンクブロック“０”、シンクブロック“１”、シンクブロック“２”、シンクブロック“３”の４個のシンクブロックで構成される。シンクブロック“０”は、モノトーンビット及びシンクビット“０”で構成され、シンクブロック“１”は、モノトーンビット及びシンクビット“１”で構成され、シンクブロック“２”は、モノトーンビット及びシンクビット“２”で構成され、シンクブロック“３”は、モノトーンビット及びシンクビット“３”で構成される。しかし、当業者ならば、本発明がこのような４個のシンクブロックに限定されないということを理解できるであろう。
【００６１】
図６Ｂを参照するに、第２領域のＡＤＩＰアドレスのシンクパートは、第１領域で使われる４個のシンクブロック及びシンクブロック“５”を含む５個のシンクブロックで構成される。このように第２領域でモノトーンビット及びシンクビットの組合わせであるシンクブロックを第１領域で使用するシンクブロックの数より多く使用することによって、第１領域と第２領域とを区別しうる。
【００６２】
第２領域のアドレスとして第１領域で使われていない特定パターンを挿入して表現する場合
図７Ａ及び図７Ｂは、本発明の第１実施形態によって同じウォッブル形態及び同じアドレスで表現される第１領域及び第２領域のアドレス構造の一例を表す。図７Ａを参照するに、第１領域のＡＤＩＰアドレスは、シンクパートとデータパートとからなっている。第１領域のＡＤＩＰアドレスのシンクパートは、４個のシンクブロック“０”、“１”、“２”、“３”よりなる。シンク“０”は、モノトーンビット及びシンクビット“０”で形成される。シンク“１”は、モノトーンビット及びシンクビット“１”で形成される。シンクブロック“２”は、モノトーンビット及びシンクビット“２”で形成される。シンクブロック“３”は、モノトーンビット及びシンクビット“３”で形成される。
【００６３】
図７Ｂを参照するに、第２領域のＡＤＩＰアドレスは、第１領域のアドレスと区別させるためにシンクパートの前に特定パターンが挿入されていることが分かる。このような特定パターンとして、第１領域で使われるモノトーンビット、シンクビットまたはＡＤＩＰビットと区別されるパターンを使用することによって、第１領域と第２領域とを区別する識別子として使用しうる。このような識別子は、シンクパートの前または後に挿入されうる。
【００６４】
第２領域のアドレスの特定位置に特定の値を表すデータビットを挿入するか、第１領域で使用するあるパターン及びデータビットで、第１領域で使われていない特定組合わせを生成して表現する場合
図８Ａ及び図８Ｂは、本発明の第１実施形態によって同じウォッブル形態と同じアドレスで表現される第１領域と第２領域とのアドレス構造の一例を表す。
【００６５】
さらに他の方法で、第１領域で使用するモノトーンビットとシンクビット及びデータを表現するＡＤＩＰビットを用いて第１領域で使われていない新たなパート、例えば、識別子パートを形成して第２領域のアドレスであることを識別しうる。例えば、識別子パートは、シンクパートとデータパートとの間にモノトーンビットとデータとを表現するＡＤＩＰビットを組合わせ、生成して挿入することによって、第１領域と区別される第２領域の識別子として使用しうる。識別子パートの具体例として、シンクパートと類似しているか、データパートとは区別されるようにモノトーンビット１とＡＤＩＰビット１とを４回使用して識別子として用いる。
【００６６】
図８Ａを参照するに、第１領域のＡＤＩＰアドレスは、シンクパートとデータパートからなっており、図８Ｂを参照するに、第２領域のＡＤＩＰアドレスは、シンクパートとデータパートとの間に識別子パートが挿入されている。このように、モノトーンビット１及びＡＤＩＰビット４からなる識別子パートが第１領域のアドレスと第２領域のアドレスとを区分しうる。
【００６７】
第２領域のアドレスとしてデータパートで第１領域で使用していない識別子を使用することによって、第１領域と第２領域とを区別する場合
図９Ａ及び図９Ｂは本発明の第１実施形態によって同じウォッブル形態と同じアドレスとで表現される第１領域と第２領域とのアドレス構造の一例を示す。図９Ａを参照するに、第１領域のＡＤＩＰアドレスは、シンクパートとデータパートとからなっており、データパートはアドレスパートと予約パートとパリティパートとからなっている。
【００６８】
図９Ｂを参照するに、第２領域のＡＤＩＰアドレスは、シンクパートとデータパートとからなっており、データパートは、アドレスパートとパリティパートとからなっている。このように、第１領域でＡＤＩＰアドレスを表現するビットに予約ビット（リザーブビット）が含まれた場合、第２領域ではこの予約ビットを除去してＡＤＩＰを表現することによって、シンクの検出間隔を変化させて第２領域の識別子として使用しうる。
【００６９】
第２実施形態
本発明の第２実施形態は、第１領域及び第２領域のアドレスを各々２つの異なるウォッブルで表現する方法である。
【００７０】
既存の記録または再生単位ブロックを使用しうる第１領域と第１領域に使われる記録または再生単位ブロックの大きさより小さな記録または再生単位のブロックが使われる第２領域を区別するために第１領域と第２領域とを２つの異なるウォッブルで表現することによって、２つの異なる記録または再生単位ブロックを区分しうる。すなわち、第１領域と第２領域とで使われる２つの異なるウォッブルはウォッブルの変調方式や基本周波数などを異なって使用するか、またはウォッブルの変調方式と基本周波数とをいずれも異なって使用して区分しうる。具体例は次の通りである。
【００７１】
第１に、第１領域及び第２領域で相異なるウォッブル変調方式を使用するが、第１領域ではＦＳＫ（周波数シフトキーイング）を使用し、第２領域ではＢＰＳＫ（バイナリシフトキーイング）を使用して、２つの記録または再生単位ブロックを区分しうる。
【００７２】
第２に、第１領域及び第２領域のウォッブル変調方式でＦＳＫまたはＢＰＳＫを同一に使用し、第１領域及び第２領域のウォッブル基本周波数を異ならせて２つの記録または再生単位ブロックを区分しうる。例えば、第１領域の単位ブロックサイズが６４Ｋｂｙｔｅｓであり、第２領域の単位ブロックサイズが３２Ｋｂｙｔｅｓである場合、第２領域のウォッブル基本周波数は第１領域のウォッブル基本周波数の２倍を使用し、すなわち、第１領域の基本周波数が１ＭＨｚであれば、第２領域の基本周波数は２ＭＨｚを使用し、２つの記録または再生ブロックを区分しうる。または、第１領域のウォッブル周期がｎサイズのチャンネルクロック周期であれば、第２領域はｍサイズのチャンネルクロック周期を使用して区分しうる。ここで、ｎ、ｍは、任意の整数を示す。
【００７３】
第３に、第１及び第２の方法を組合わせて使用する方法であって、第１領域及び第２領域のウォッブル変調方式で第１領域では、ＦＳＫを使用し、第２領域ではＢＰＳＫ方式を使用しつつ、第１領域及び第２領域の基本ウォッブル周波数を各々ｆ０及びｆ１に異ならせて２つの異なる領域を区分しうる。
【００７４】
第３実施形態
本発明の第３実施形態は、第１領域及び第２領域のアドレスを各々２つの異なるアドレスで表現する方法である。
【００７５】
既存の記録または再生単位ブロックを使用しうる第１領域と、第１領域に使われる記録または再生単位ブロックの大きさより小さな記録または再生単位のブロックが使われる第２領域を区別するために、第１領域及び第２領域を２つの異なるアドレスで表現することによって、２つの異なる記録または再生単位ブロックを区分しうる。すなわち、第１領域及び第２領域で使われる２つの異なるアドレスは、ビット数の異なるアドレスを使用して２つの異なる領域を区分しうる。
【００７６】
図１０Ａ及び図１０Ｂは、本発明の第３実施形態によって２つの異なるアドレスとして表現される第１領域及び第２領域のアドレス構造の一例である。図１０Ａを参照するに、第１領域ではデータパートに入っているアドレスパートの大きさをａビットとし、図１０Ｂを参照するに、第２領域ではデータパートに入っているアドレスパートの大きさをｂビットとすることによって、第１領域と第２領域とを簡単に区別しうる。ここで、“ａ”、“ｂ”はいずれも整数値である。
【００７７】
第４実施形態
本発明の第４実施形態は、第１領域及び第２領域のアドレスを各々２つの異なるウォッブルと２つの異なるアドレスで表現する方法である。
【００７８】
既存の記録または再生単位ブロックを使用しうる第１領域と第１領域に使われる記録または再生単位ブロックの大きさより小さな記録または再生単位のブロックを有する第２領域を区別するために、第１領域及び第２領域を２つの異なるウォッブルと２つの異なるアドレスで表現することによって、２つの異なる記録または再生単位ブロックを区分しうる。
【００７９】
すなわち、第１領域と第２領域に異なるウォッブル変調方式及びビット数の異なるアドレスを使用するか、または第１領域及び第２領域に異なるウォッブル変調方式とビット数は同一であるが、アドレスの１つまたは複数の特定ビットに領域を区別する識別子を含むアドレスを使用するか、または第１領域と第２領域に基本周波数の異なるウォッブル方式及びビット数の異なるアドレスを使用するか、または第１領域及び第２領域に基本周波数の異なるウォッブル方式とビット数は同一であるが、アドレスの１つまたは複数の特定ビットに領域を区別する識別子を含むアドレスを使用するか、または第１領域及び第２領域に基本周波数が異なり、変調方式が異なるウォッブルと、ビット数が異なるアドレスを使用するか、または第１領域及び第２領域に基本周波数が異なり、変調方式が異なるウォッブルと、ビット数は同一であるが、アドレスの１つまたは複数の特定ビットに領域を区別する識別子を含むアドレスを使用して区分しうる。具体的な使用例は、次の通りである。
【００８０】
第１領域ではＦＳＫ方式とａビットサイズのアドレスを使用し、第２領域ではＢＰＳＫ方式とｂビットサイズのアドレスとを使用して、２つの記録または再生単位ブロックを区分しうる。
【００８１】
ウォッブル変調方式として第１領域ではＦＳＫを、第２領域ではＢＰＳＫを使用し、第１領域と第２領域いずれもａビットサイズのアドレスを使用して最上位ビットの値を‘０’と‘１’とに区分して領域を判別する識別子として使用して２つの記録または再生単位ブロックを区分しうる。
【００８２】
他の方法で第１領域と第２領域とのウォッブル変調方式でＦＳＫまたはＢＰＳＫを同一に使用し、第１領域ではｆ０の基本ウォッブル周波数とａビットサイズのアドレスを使用し、第２領域ではｆ１の基本ウォッブル周波数とｂビットサイズのアドレスを使用して２つの記録または再生単位ブロックを区分しうる。
【００８３】
さらに他の方法で、第１領域及び第２領域のウォッブル変調方式でＦＳＫまたはＢＰＳＫを同一に使用し、第１領域ではｆ０の基本ウォッブル周波数を使用し、第２領域ではｆ１の基本ウォッブル周波数を使用し、第１領域及び第２領域いずれもａビットサイズのアドレスを使用しつつ、最上位ビットの値を‘０’と‘１’とに区分して領域を判別する識別子として使用して、２つの記録または再生単位ブロックを区分しうる。
【００８４】
さらに他の方法で、第１領域は基本ウォッブル周波数がｆ０であるＦＳＫ方式とａビットサイズのアドレスを使用し、第２領域は基本ウォッブル周波数がｆ１であるＢＰＳＫ方式とｂビットサイズのアドレスを使用して２つの記録または再生単位ブロックを区分しうる。
【００８５】
さらに他の方法で、第１領域は基本ウォッブル周波数がｆ０であるＦＳＫ方式を使用し、第２領域は基本ウォッブル周波数がｆ１であるＢＰＳＫ方式を使用しつつ、第１領域と第２領域いずれもａビットサイズのアドレスを使用しつつ、最上位ビットの値を‘０’と‘１’とに区分して領域を判別する識別子として使用して２つの記録または再生単位ブロックを区分しうる。
【００８６】
図１１は、本発明によるディスクを製造する成形装置の概略的なブロック図である。図１１を参照するに、ディスク成形装置は、制御部１０と、アドレス発生部２０と、信号処理部３０と、レーザー４０と、変調部５０と、カットヘッド６０と、基板回転／移送部８０とを備える。
【００８７】
ディスク成形過程は、研磨したガラス基板にフォトレジストを塗布し、この感光膜にレーザービームによる露光によりピットやグルーブを形成するカットを行なう。特に、本発明による成形過程はディスクの記録可能領域のうち、内周側に位置した第１領域には第１アドレスに基づいたウォッブルによるグルーブのカットが行なわれ、外周側に位置する第２領域には、第２アドレスに基づいたウォッブルによるグルーブのカットが行なわれる。
【００８８】
アドレス発生部２０は、絶対アドレスとしての値を順次に発生させる。
【００８９】
カット部は、フォトレジストされたガラス基板７０にレーザービームを照射してカットを行なう光学部４０、５０、６０と、ガラス基板７０を回転駆動及びスライド移送する基板回転／移送部８０と、入力データを記録データに変換して光学部に供給する信号処理部３０とを備える。
【００９０】
変調部５０は、レーザー光源４０からの出射光を記録データに基づいて変調し、カットヘッド部６０は変調部５０からの変調ビームを集光してガラス基板７０のフォトレジスト面に照射する。
【００９１】
基板回転／移送部８０は、ガラス基板７０を回転駆動し、その半径方向にスライドさせ、カットヘッド部６０のトラッキングなどを制御するサーボの役割を果たす。
【００９２】
信号処理部３０は、アドレス発生部２０から供給されるアドレス情報に基づいてエラー訂正符号などを付加して入力データをフォーマットするか、フォーマットされたデータに所定の演算処理をして変調信号を形成する。
【００９３】
カット時に基板回転／移送部８０がガラス基板７０を一定の線速度で回動させてガラス基板を回転させた状態で、所定のトラックピッチで螺旋状のトラックが形成されるようにスライドさせる。そして、レーザー光源４０からの出射光は変調部５０を通じて信号処理部３０からの変調信号に基づく変調ビームになってカットヘッド部６０からガラス基板７０のフォトレジスト面に照射され、その結果、フォトレジストがデータやグルーブに基づいて感光される。
【００９４】
制御部１０は、このようなカット部９０のカット時の動作を制御し、基板回転／移送部８０のカット位置によってアドレス発生部２０を制御する。特に、制御部１０は、本発明によって基板回転／移送部８０のカット位置がディスクの内周に位置した第１領域であると判断された場合、制御部１０は、第１アドレスに基づいてカットされるようにアドレス発生部２０とカット部９０とを制御する。そして、制御部１０は、このようなカット動作が第１領域の終わり部分まで進行し、カット位置が第２領域であると判断された場合に、第２アドレスに基づいてカットされるようにアドレス発生部２０とカット部９０とを制御する。
【００９５】
図１２は、本発明の第２実施形態によって図１１に示された変調部の具体的なブロック図である。図１２を参照するに、信号処理部３０は、領域判断部３１を含備え、変調部５０は第１変調部５１と、第２変調部５２とを備える。
【００９６】
本発明の第２実施形態によって制御部１０は、ディスクの第１領域についてのアドレスである場合には、第１変調方式により変調してアドレスを記録するように制御し、ディスクの第２領域についてのアドレスである場合には、第２変調方式により変調してアドレスを記録するように制御する。
【００９７】
制御部１０は、現在カットしようとするアドレスが第１領域に関するものか、第２領域に関するものかを決定し、第１領域に関するものであれば、第１変調部５１が活性化されるように制御し、第２領域に関するものであれば、第２変調部５２が活性化されるように制御する。
【００９８】
第１変調部５１が活性化されれば、信号処理部３０からアドレス情報を受信して第１変調方式によって変調を行い、第２変調部５２が活性化されれば、信号処理部３０からアドレス情報を受信して第２変調方式によって変調を行い、変調されたデータをカットヘッド６０に伝送する。ここで、第１変調方式と第２変調方式は、前述した第２実施形態で説明したような多様な方法で区別しうる。
【００９９】
図１３は、本発明の第１実施形態及び第３実施形態によって図１１に示された信号処理部の具体的なブロック図である。
【０１００】
本発明の第１実施形態または第３実施形態によって制御部１０は、ディスクの第１領域に関するアドレスである場合には、第１アドレスを生成するように制御し、ディスクの第２領域に関するアドレスである場合には、第２アドレスを生成するように制御する。
【０１０１】
制御部１０は、現在カットしようとするアドレスが第１領域に関するものか、第２領域に関するものかを決定し、第１領域に関するものであれば、第１アドレス生成部３１が活性化されるように制御し、第２領域に関するものであれば、第２アドレス生成部３２が活性化されるように制御する。
【０１０２】
第１アドレス生成部３１が活性化されるアドレス発生部２０からアドレスデータを受信して第１アドレスを生成し、第２アドレス生成部３２が活性化されれば、アドレス発生部２０からアドレスデータを受信して第２アドレスを生成した後、生成されたアドレス情報を信号処理部３０に出力する。ここで、第１アドレスと第２アドレスは、前述した第１実施形態または第３実施形態で説明したような多様な方法で区別しうる。
【０１０３】
図１４は、本発明によるディスクドライブ装置の概略的なブロック図である。図１４を参照するに、ディスクドライブ装置は、ピックアップ１００と、レーザー駆動部１１０と、マトリックス回路１２０と、サーボ１３０と、システム制御部１４０と、信号処理部２００を備える。
【０１０４】
ピックアップ１００は、ディスク上の記録可能領域でのグルーブトラックのウォッブリングとして埋込まれたＡＤＩＰ情報を判読する。記録時にはピックアップにより記録可能領域でのトラックにユーザデータがフェーズチェンジマークとして記録され、再生時には、ピックアップにより記録されたフェーズチェンジマークの判読が行なわれる。
【０１０５】
ピックアップのレーザーダイオードはレーザー駆動部１１０からのドライブ信号によりレーザー発光駆動される。
【０１０６】
ディスクから反射光情報は、光検出器により検出され、受光量による電気信号になってマトリックス回路１２０に供給される。
【０１０７】
マトリックス回路は、光検出器からの出力電流を受信して再生データに相当する高周波信号、サーボ制御のための信号及びグルーブのウォッブリングに係る信号を生成する。
【０１０８】
マトリックス回路から出力される再生データ信号は、記録／再生部２１０に、サーボ制御信号はサーボ１３０に、ウォッブリングに係る信号はウォッブル信号処理部２４０に供給される。
【０１０９】
記録／再生部２１０は、再生データ信号を２値化処理し、ＰＬＬによる再生クロック生成処理などを行なってページチェンジマークとして判読されたデータを再生して変調部２２０に供給する。
【０１１０】
変／復調部２２０は、再生時のデコーダ機能と記録時のエンコーダ機能とを果たす。
【０１１１】
再生時には、デコード処理として再生クロックに基づいてＲＬＬコードの復調処理を行なう。
【０１１２】
ＥＣＣエンコーダ／デコーダ２３０は、記録時にエラー訂正コードを付加するＥＣＣエンコード処理、及び再生時にエラー訂正を行なうＥＣＣデコード処理を行なう。ＥＣＣエンコーダ／デコーダ２３０で再生データとしてデコードされたデータは、システム制御部１４０の指示に基づいて判読されてＡＶシステムに伝送される。
【０１１３】
マトリックス回路１２０から出力されるグルーブのウォッブリングに係る信号であるプッシュプル信号はウォッブル信号処理部２４０で処理される。ＡＤＩＰ情報としてのプッシュプル信号は、ウォッブル信号処理部２４０で復調され、ＡＤＩＰアドレスを構成するデータストリームに復調されてアドレス検出部２５０に供給される。
【０１１４】
アドレス検出部２５０は、供給されるデータに対するデコードを行ない、アドレス値を得てシステム制御部１４０及び記録／再生部２１０に供給する。
【０１１５】
特に、本発明によってシステム制御部１４０は、記録及び／または再生するデータがディスクの第１領域に関するアドレスであれば、第１アドレスとして処理されるようにウォッブル信号処理部２４０またはアドレス検出部２５０を制御し、記録及び／または再生するデータがディスクの第２領域に関するアドレスであれば、第２アドレスとして処理されるようにウォッブル信号処理部２４０またはアドレス検出部２５０を制御する。
【０１１６】
図１５は、本発明の第２実施形態によって図１４に図示されたウォッブル信号処理部の具体的なブロック図である。
【０１１７】
図１２を参照するに、ウォッブル信号処理部２４０は、第１復調部２４１と、第２復調部２４２とを備える。
【０１１８】
本発明の第２実施形態によってシステム制御部１４０は、ディスクの第１領域に関するアドレスである場合には、第１復調方式により復調してアドレスを検出するように制御し、ディスクの第２領域に関するアドレスである場合には、第２復調方式により復調してアドレスを検出するように制御する。
【０１１９】
システム制御部１４０は、現在記録及び／または再生しようとするアドレスが第１領域に関するものか、第２領域に関するものかを決定し、第１領域に関すものであれば、第１復調部２４１が活性化されるように制御し、第２領域に関するものであれば、第２復調部２４２が活性化されるように制御する。
【０１２０】
第１復調部２４１が活性化されれば、マトリックス回路１２０から受信されたウォッブリンググルーブに係る信号を第１復調方式によって復調を行い、第２復調部２４２が活性化されれば、マトリックス回路１２０から受信されたウォッブリンググルーブに係る信号を第２復調方式によって復調を行い、復調されたデータをアドレス検出部２５０に伝送する。ここで、第１復調方式と第２復調方式は、前述した第２実施形態で説明したような多様な方法で区別しうる。
【０１２１】
図１６は、本発明の第１実施形態及び第３実施形態によって図１４に示されたアドレス検出部の具体的なブロック図である。
【０１２２】
本発明の第１実施形態または第３実施形態によってシステム制御部１４０は、ディスクの第１領域に関するアドレスである場合には、第１アドレスを検出するように制御し、ディスクの第２領域に関するアドレスである場合には、第２アドレスを検出するように制御する。
【０１２３】
システム制御部１４０は、現在記録及び／または再生しようとするアドレスが第１領域に関するものか、第２領域に関するものかを決定し、第１領域に関するものであれば、第１アドレス検出部２５１が活性化されるように制御し、第２領域に関するものであれば、第２アドレス検出部２５２が活性化されるように制御する。
【０１２４】
第１アドレス検出部２５１が活性化されれば、ウォッブル信号処理部２４０から受信されたアドレスから第１アドレスを検出し、第２アドレス検出部２５２が活性化されれば、ウォッブル信号処理部２４０から第２アドレスを検出し、検出されたアドレス情報をシステム制御部１４０及び記録／再生部に出力する。ここで、第１アドレスと第２アドレスは、前述した第１実施形態または第３実施形態で説明したような多様な方法で区別しうる。
【０１２５】
本発明はまたコンピュータで読取り可能な記録媒体にコンピュータで読取り可能なコードとして具現することができる。コンピュータで読取り可能な記録媒体はコンピュータシステムによって読取り可能なデータが保存されるあらゆる種類の記録装置を含む。コンピュータが読取り可能な記録媒体の例としては、ＲＯＭ、ＲＡＭ、ＣＤ−ＲＯＭ、磁気テープ、フロッピー（登録商標）ディスク、光データ保存装置などがあり、またキャリアウェーブ（例えば、インターネットを通じた伝送）の形で具現されることも含む。また、コンピュータで読取り可能な記録媒体は、ネットワークで連結されたコンピュータシステムに分散されて、分散方式でコンピュータで読取り可能なコードが保存されて実行されうる。
【０１２６】
以上、本発明についてその望ましい実施形態を中心に説明した。本発明が属する技術分野で通常の知識を有する者は、本発明が本発明の本質的な特性から外れない範囲で変形された形態に具現されるということを理解できるであろう。したがって、開示された実施形態は、限定的な観点ではなく、説明的な観点で考慮されねばならない。本発明の範囲は、前述した説明ではなく、特許請求の範囲に現れており、それと同等な範囲内にあるあらゆる差異点は本発明に含まれたと解釈されねばならない。
【図面の簡単な説明】
【０１２７】
【図１】従来の技術によって記録及び／または再生単位ブロックまたはＥＣＣブロックの長さが１つの円周を超える時、重畳領域で発生したスクラッチを示す図である。
【図２Ａ】従来の技術によってウォッブリンググルーブとして記録されるＡＤＩＰアドレスの構造を説明するための図である。
【図２Ｂ】従来の技術によってウォッブリンググルーブとして記録されるＡＤＩＰアドレスの構造を説明するための図である。
【図２Ｃ】従来の技術によってウォッブリンググルーブとして記録されるＡＤＩＰアドレスの構造を説明するための図である。
【図２Ｄ】従来の技術によってウォッブリンググルーブとして記録されるＡＤＩＰアドレスの構造を説明するための図である。
【図３】本発明が適用される小型記録媒体の構造図である。
【図４Ａ】本発明の第１実施形態によって同じウォッブル形態及び同じアドレスで表現される第１領域と第２領域のアドレス構造の一例である。
【図４Ｂ】本発明の第１実施形態によって同じウォッブル形態及び同じアドレスで表現される第１領域と第２領域のアドレス構造の一例である。
【図５Ａ】本発明の第１実施形態によって同じウォッブル形態及び同じアドレスで表現される第１領域及び第２領域のアドレス構造の一例である。
【図５Ｂ】本発明の第１実施形態によって同じウォッブル形態及び同じアドレスで表現される第１領域及び第２領域のアドレス構造の一例である。
【図６Ａ】本発明の第１実施形態によって同じウォッブル形態及び同じアドレスで表現される第１領域及び第２領域のアドレス構造の一例である。
【図６Ｂ】本発明の第１実施形態によって同じウォッブル形態及び同じアドレスで表現される第１領域及び第２領域のアドレス構造の一例である。
【図７Ａ】本発明の第１実施形態によって同じウォッブル形態及び同じアドレスで表現される第１領域及び第２領域のアドレス構造の一例である。
【図７Ｂ】本発明の第１実施形態によって同じウォッブル形態及び同じアドレスで表現される第１領域及び第２領域のアドレス構造の一例である。
【図８Ａ】本発明の第１実施形態によって同じウォッブル形態及び同じアドレスで表現される第１領域及び第２領域のアドレス構造の一例である。
【図８Ｂ】本発明の第１実施形態によって同じウォッブル形態及び同じアドレスで表現される第１領域及び第２領域のアドレス構造の一例である。
【図９Ａ】本発明の第１実施形態によって同じウォッブル形態及び同じアドレスで表現される第１領域及び第２領域のアドレス構造の一例である。
【図９Ｂ】本発明の第１実施形態によって同じウォッブル形態及び同じアドレスで表現される第１領域及び第２領域のアドレス構造の一例である。
【図１０Ａ】本発明の第３実施形態によって２つの異なるアドレスで表現される第１領域及び第２領域のアドレス構造の一例である。
【図１０Ｂ】本発明の第３実施形態によって２つの異なるアドレスで表現される第１領域及び第２領域のアドレス構造の一例である。
【図１１】本発明によるディスクを製造する成形装置の概略的なブロック図である。
【図１２】本発明の第２実施形態によって図１１に示された信号処理部及び変調部の具体的なブロック図である。
【図１３】本発明の第１実施形態及び第３実施形態によって図１１に示された信号処理部及び変調部の具体的なブロック図である。
【図１４】本発明によるディスクドライブ装置の概略的なブロック図である。
【図１５】本発明の第２実施形態によって図１４に示されたウォッブル信号処理部の具体的なブロック図である。
【図１６】本発明の第１実施形態及び第３実施形態によって図１４に図示されたウォッブル信号処理部の具体的なブロック図である。
【国際調査報告】
2007527590.tif 000031
2007527590.tif 000032